(57)【要約】【課題】熱交換器の信頼性を向上させる【解決手段】熱交換器（10）では、仕切りシート（15）とフレーム（25,55）が交互に複数ずつ積層される。第１フレーム（25）は、第１内側リブ（40）と、第１保持リブ（41a,41b）とを備える。第２フレーム（55）は、第２内側リブ（70）と、第２保持リブ（71a,71b）とを備える。仕切りシート（15）は、第１保持リブ（41a,41b）と、第１保持リブ（41a,41b）の隣の第１内側リブ（40）とによって挟まれる。また、仕切りシート（15）は、第２保持リブ（71a,71b）と、第２保持リブ（71a,71b）の隣の第２内側リブ（70）とによって挟まれる。【選択図】図１１
2020169781.tif 000002
【特許請求の範囲】
【請求項１】
平坦なシート状の複数の仕切り部材（15）と、
上記仕切り部材（15）と交互に積層されて隣り合う上記仕切り部材（15）の間隔を保持する間隔保持部材（25,55）とを備え、
上記仕切り部材（15）を挟んで第１流路（21）と第２流路（51）とが交互に形成された熱交換器であって、
上記間隔保持部材（25,55）は、上記仕切り部材（15）の周縁に沿った枠部（30,60）を有し、
上記第１流路（21）を形成する上記間隔保持部材である第１間隔保持部材（25）は、
上記第１間隔保持部材（25）の上記枠部（30）に形成され、該枠部（30）に囲われた上記第１流路（21）を該枠部（30）の外部に連通させる第１連通用開口（22）と、
上記第１連通用開口（22）から該第１連通用開口（22）と交わる方向に延び且つ上記第１間隔保持部材（25）の両隣の上記仕切り部材（15）と接する第１内側リブ（40）とを備え、
上記第２流路（51）を形成する上記間隔保持部材である第２間隔保持部材（55）は、
上記第２間隔保持部材（55）の上記枠部（60）に形成され、該枠部（60）に囲われた上記第２流路（51）を該枠部（60）の外部に連通させる第２連通用開口（52）と、
上記第２連通用開口（52）から該第２連通用開口（52）と交わる方向に延び且つ上記第２間隔保持部材（55）の両隣の上記仕切り部材（15）と接する第２内側リブ（70）とを備え、
上記第１間隔保持部材（25）は、上記第１内側リブ（40）と交わり且つ上記第２間隔保持部材（55）の上記第２内側リブ（70）に沿う方向に延び、隣に位置する上記第２間隔保持部材（55）の上記第２内側リブ（70）との間に上記仕切り部材（15）を挟む第１保持リブ（41a,41b）を更に備え、
上記第２間隔保持部材（55）は、上記第２内側リブ（70）と交わり且つ上記第１間隔保持部材（25）の上記第１内側リブ（40）に沿う方向に延び、隣に位置する上記第１間隔保持部材（25）の上記第１内側リブ（40）との間に上記仕切り部材（15）を挟む第２保持リブ（71a,71b）を更に備える
ことを特徴とする熱交換器。
【請求項２】
請求項１において、
上記第１間隔保持部材（25）は、該第１間隔保持部材（25）と隣り合う二つの上記仕切り部材（15）の一方に接する一方側の上記第１保持リブ（41a）と、他方に接する他方側の上記第１保持リブ（41b）とを備え、
上記第２間隔保持部材（55）は、該第２間隔保持部材（55）と隣り合う二つの上記仕切り部材（15）の一方に接する一方側の上記第２保持リブ（71a）と、他方に接する他方側の上記第２保持リブ（71b）とを備える
ことを特徴とする熱交換器。
【請求項３】
請求項２において、
上記第１間隔保持部材（25）は、一方側の上記第１保持リブ（41a）と他方側の上記第１保持リブ（41b）とに接続する第１支柱部（42）を備え、
上記第２間隔保持部材（55）は、一方側の上記第２保持リブ（71a）と他方側の上記第２保持リブ（71b）とに接続する第２支柱部（72）を備える
ことを特徴とする熱交換器。
【請求項４】
請求項３において、
上記第１間隔保持部材（25）には、複数の上記第１内側リブ（40）が互いに平行に設けられ、
上記第１間隔保持部材（25）では、隣り合う上記第１内側リブ（40）の間において、
一方側の上記第１保持リブ（41a）が、隣り合う上記第１内側リブ（40）の一方から他方へ向かって突出し、
他方側の上記第１保持リブ（41b）が、隣り合う上記第１内側リブ（40）の他方から一方へ向かって突出し、
上記第１支柱部（42）が、一方側の上記第１保持リブ（41a）の突端と、他方側の上記第１保持リブ（41b）の突端とに接続し、
上記第２間隔保持部材（55）には、複数の上記第２内側リブ（70）が互いに平行に設けられ、
上記第２間隔保持部材（55）では、隣り合う上記第２内側リブ（70）の間において、
一方側の上記第２保持リブ（71a）が、隣り合う上記第２内側リブ（70）の一方から他方へ向かって突出し、
他方側の上記第２保持リブ（71b）が、隣り合う上記第２内側リブ（70）の他方から一方へ向かって突出し、
上記第２支柱部（72）が、一方側の上記第２保持リブ（71a）の突端と、他方側の上記第２保持リブ（71b）の突端とに接続する
ことを特徴とする熱交換器。
【請求項５】
請求項２又は３において、
上記第１間隔保持部材（25）には、複数の上記第１内側リブ（40）が互いに平行に設けられ、
上記第１間隔保持部材（25）の隣り合う上記第１内側リブ（40）の間では、
隣り合う上記第１内側リブ（40）の一方の伸長方向に、隣り合う上記第１内側リブ（40）の一方から他方へ向かって突出する一方側の上記第１保持リブ（41a）と、隣り合う上記第１内側リブ（40）の一方から他方へ向かって突出する他方側の上記第１保持リブ（41b）とが交互に設けられ、
隣り合う上記第１内側リブ（40）の他方の伸長方向に、隣り合う上記第１内側リブ（40）の他方から一方へ向かって突出する他方側の上記第１保持リブ（41b）と、隣り合う上記第１内側リブ（40）の他方から一方へ向かって突出する一方側の上記第１保持リブ（41a）とが交互に設けられ、
上記第２間隔保持部材（55）には、複数の上記第２内側リブ（70）が互いに平行に設けられ、
上記第２間隔保持部材（55）の隣り合う上記第２内側リブ（70）の間では、
隣り合う上記第２内側リブ（70）の一方の伸長方向に、隣り合う上記第２内側リブ（70）の一方から他方へ向かって突出する一方側の上記第２保持リブ（71a）と、隣り合う上記第２内側リブ（70）の一方から他方へ向かって突出する他方側の上記第２保持リブ（71b）とが交互に設けられ、
隣り合う上記第２内側リブ（70）の他方の伸長方向に、隣り合う上記第２内側リブ（70）の他方から一方へ向かって突出する他方側の上記第２保持リブ（71b）と、隣り合う上記第２内側リブ（70）の他方から一方へ向かって突出する一方側の上記第２保持リブ（71a）とが交互に設けられる
ことを特徴とする熱交換器。
【請求項６】
請求項１において、
上記第１間隔保持部材（25）の上記第１保持リブ（41b）は、該第１間隔保持部材（25）と隣り合う二つの上記仕切り部材（15）の一方と接し、
上記第１間隔保持部材（25）は、上記第１保持リブ（41b）から突出し、該第１間隔保持部材（25）と隣り合う二つの上記仕切り部材（15）の他方に突端が接する第１支柱部（42）を備え、
上記第２間隔保持部材（55）の上記第２保持リブ（71b）は、該第２間隔保持部材（55）と隣り合う二つの上記仕切り部材（15）の一方と接し、
上記第２間隔保持部材（55）は、上記第２保持リブ（71b）から突出し、該第２間隔保持部材（55）と隣り合う二つの上記仕切り部材（15）の他方に突端が接する第２支柱部（72）を備える
ことを特徴とする熱交換器。
【請求項７】
請求項１乃至６のいずれか一つにおいて、
上記第１間隔保持部材（25）は、
該第１間隔保持部材（25）の上記枠部（30）によって囲まれた上記第１流路（21）に設けられ、該第１間隔保持部材（25）と隣り合う二つの上記仕切り部材（15）と接する第１流路内リブ（45）と、
上記第１流路内リブ（45）と交わる方向に延び、該第１間隔保持部材（25）の隣に位置する一つの上記仕切り部材（15）と接する第１支持リブ（46a,46b）とを備え、
上記第２間隔保持部材（55）は、
該第２間隔保持部材（55）の上記枠部（60）によって囲まれた上記第２流路（51）に設けられ、上記第１間隔保持部材（25）の上記第１流路内リブ（45）に沿って延び、該第２間隔保持部材（55）と隣り合う二つの上記仕切り部材（15）と接する第２流路内リブ（75）と、
上記第２流路内リブ（75）と交わる方向に延び、該第２間隔保持部材（55）の隣に位置する一つの上記仕切り部材（15）と接する第２支持リブ（76a,76b）とを備える
ことを特徴とする熱交換器。
【発明の詳細な説明】
【技術分野】
【０００１】
本開示は、熱交換器に関するものである。
【背景技術】
【０００２】
特許文献１には、換気装置に用いられる熱交換素子が開示されている。この熱交換素子は、給気と排気を熱交換させる熱交換器である。この熱交換器では、樹脂枠と伝熱板とが交互に複数ずつ積層される。この熱交換器では、樹脂枠と伝熱板の積層方向に、給気側の空気流路と排気側の空気流路が交互に形成される。隣り合う空気流路は、伝熱板によって仕切られる。そして、この熱交換器では、給気側の空気流路を流れる空気と、排気側の空気流路を流れる空気とが、伝熱板を介して顕熱と潜熱（水分）を交換する。
【先行技術文献】
【特許文献】
【０００３】
【特許文献１】特開２００７−１００９９７号公報
【発明の概要】
【発明が解決しようとする課題】
【０００４】
特許文献１の熱交換器において、伝熱板は、接着剤によって樹脂枠に接着される。しかし、接着不良や接着剤の経年劣化に起因して、伝熱板が樹脂枠から剥がれることがある。伝熱板が樹脂枠から剥がれると、剥がれた伝熱板によって空気の流通が妨げられるおそれがある。
【０００５】
本開示の目的は、熱交換器の信頼性を向上させることにある。
【課題を解決するための手段】
【０００６】
本開示の第１の態様は、平坦なシート状の複数の仕切り部材（15）と、上記仕切り部材（15）と交互に積層されて隣り合う上記仕切り部材（15）の間隔を保持する間隔保持部材（25,55）とを備え、上記仕切り部材（15）を挟んで第１流路（21）と第２流路（51）とが交互に形成された熱交換器（10）を対象とする。この態様において、上記間隔保持部材（25,55）は、上記仕切り部材（15）の周縁に沿った枠部（30,60）を有する。
【０００７】
第１の態様において、上記第１流路（21）を形成する上記間隔保持部材である第１間隔保持部材（25）は、上記第１間隔保持部材（25）の上記枠部（30）に形成され、該枠部（30）に囲われた上記第１流路（21）を該枠部（30）の外部に連通させる第１連通用開口（22）と、上記第１連通用開口（22）から該第１連通用開口（22）と交わる方向に延び且つ上記第１間隔保持部材（25）の両隣の上記仕切り部材（15）と接する第１内側リブ（40）とを備える。
【０００８】
第１の態様において、上記第２流路（51）を形成する上記間隔保持部材である第２間隔保持部材（55）は、上記第２間隔保持部材（55）の上記枠部（60）に形成され、該枠部（60）に囲われた上記第２流路（51）を該枠部（60）の外部に連通させる第２連通用開口（52）と、上記第２連通用開口（52）から該第２連通用開口（52）と交わる方向に延び且つ上記第２間隔保持部材（55）の両隣の上記仕切り部材（15）と接する第２内側リブ（70）とを備える。
【０００９】
第１の態様において、上記第１間隔保持部材（25）は、上記第１内側リブ（40）と交わり且つ上記第２間隔保持部材（55）の上記第２内側リブ（70）に沿う方向に延び、隣に位置する上記第２間隔保持部材（55）の上記第２内側リブ（70）との間に上記仕切り部材（15）を挟む第１保持リブ（41a,41b）を更に備える。
【００１０】
第１の態様において、第２間隔保持部材（55）は、上記第２内側リブ（70）と交わり且つ上記第１間隔保持部材（25）の上記第１内側リブ（40）に沿う方向に延び、隣に位置する上記第１間隔保持部材（25）の上記第１内側リブ（40）との間に上記仕切り部材（15）を挟む第２保持リブ（71a,71b）を更に備える。
【００１１】
第１の態様の熱交換器（10）では、仕切り部材（15）と間隔保持部材（25,55）が交互に積層され、第１流路（21）と第２流路（51）が交互に形成される。各仕切り部材（15）は、第１間隔保持部材（25）と第２間隔保持部材（55）に挟まれる。熱交換器（10）では、第１流路（21）を流れる流体と第２流路（51）を流れる流体が、仕切り部材（15）を介して少なくとも顕熱を交換する。
【００１２】
第１の態様において、第１間隔保持部材（25）は、第１内側リブ（40）と第１保持リブ（41a,41b）とを備える。第１内側リブ（40）と第１保持リブ（41a,41b）とは、第１流路（21）に位置する。一方、第２間隔保持部材（55）は、第２内側リブ（70）と第２保持リブ（71a,71b）とを備える。第２内側リブ（70）と第２保持リブ（71a,71b）とは、第２流路（51）に位置する。
【００１３】
第１の態様において、第１間隔保持部材（25）の第１保持リブ（41a,41b）は、第２間隔保持部材（55）の第２内側リブ（70）に沿って延びる。また、第２間隔保持部材（55）の第２保持リブ（71a,71b）は、第１間隔保持部材（25）の第１内側リブ（40）に沿って延びる。第１流路（21）と第２流路（51）を仕切る仕切り部材（15）は、隣り合う第１保持リブ（41a,41b）と第２内側リブ（70）に挟まれると共に、隣り合う第２保持リブ（71a,71b）と第１内側リブ（40）に挟まれる。その結果、仕切り部材（15）のうち間隔保持部材（25,55）の枠部（30,60）の内側に位置する部分は、隣り合う第１保持リブ（41a,41b）と第２内側リブ（70）に保持されると共に、隣り合う第２保持リブ（71a,71b）と第１内側リブ（40）に保持される。
【００１４】
第１の態様によれば、接着不良や接着剤の劣化等が生じた場合であっても、仕切り部材（15）を、その両隣の間隔保持部材（25,55）によって保持することができる。従って、この態様によれば、間隔保持部材（25,55）に保持されなくなった仕切り部材（15）が空気の流通を阻害するのを、未然に防止できる。その結果、熱交換器（10）の信頼性を向上させることができる。
【００１５】
本開示の第２の態様は、上記第１の態様において、上記第１間隔保持部材（25）は、該第１間隔保持部材（25）と隣り合う二つの上記仕切り部材（15）の一方に接する一方側の上記第１保持リブ（41a）と、他方に接する他方側の上記第１保持リブ（41b）とを備え、上記第２間隔保持部材（55）は、該第２間隔保持部材（55）と隣り合う二つの上記仕切り部材（15）の一方に接する一方側の上記第２保持リブ（71a）と、他方に接する他方側の上記第２保持リブ（71b）とを備えることを特徴とする。
【００１６】
第２の態様において、第１間隔保持部材（25）と隣り合う二つの仕切り部材（15）の一方は、一方側の第１保持リブ（41a）と、その第１保持リブ（41a）と隣り合う第２内側リブ（70）に挟まれて保持される。第１間隔保持部材（25）と隣り合う二つの仕切り部材（15）の他方は、他方側の第１保持リブ（41b）と、その第１保持リブ（41b）と隣り合う第２内側リブ（70）に挟まれて保持される。
【００１７】
また、第２の態様において、第２間隔保持部材（55）と隣り合う二つの仕切り部材（15）の一方は、一方側の第２保持リブ（71a）と、その第２保持リブ（71a）と隣り合う第１内側リブ（40）に挟まれて保持される。第２間隔保持部材（55）と隣り合う二つの仕切り部材（15）の他方は、他方側の第２保持リブ（71b）と、その第２保持リブ（71b）と隣り合う第１内側リブ（40）に挟まれて保持される。
【００１８】
本開示の第３の態様は、上記第２の態様において、上記第１間隔保持部材（25）は、一方側の上記第１保持リブ（41a）と他方側の上記第１保持リブ（41b）とに接続する第１支柱部（42）を備え、上記第２間隔保持部材（55）は、一方側の上記第２保持リブ（71a）と他方側の上記第２保持リブ（71b）とに接続する第２支柱部（72）を備えることを特徴とする。
【００１９】
第３の態様の第１間隔保持部材（25）では、一方側の第１保持リブ（41a）と他方側の第１保持リブ（41b）とに第１支柱部（42）が接続する。一方側の第１保持リブ（41a）と他方側の第１保持リブ（41b）の間隔は、第１支柱部（42）によって保持される。そのため、第１保持リブ（41a,41b）の撓みが抑えられ、第１保持リブ（41a,41b）と第２内側リブ（70）によって仕切り部材（15）が保持される。
【００２０】
また、第３の態様の第２間隔保持部材（55）では、一方側の第２保持リブ（71a）と他方側の第２保持リブ（71b）とに第２支柱部（72）が接続する。一方側の第２保持リブ（71a）と他方側の第２保持リブ（71b）の間隔は、第２支柱部（72）によって保持される。そのため、第２保持リブ（71a,71b）の撓みが抑えられ、第２保持リブ（71a,71b）と第１内側リブ（70）によって仕切り部材（15）が保持される。
【００２１】
本開示の第４の態様は、上記第３の態様において、上記第１間隔保持部材（25）には、複数の上記第１内側リブ（40）が互いに平行に設けられ、上記第１間隔保持部材（25）では、隣り合う上記第１内側リブ（40）の間において、一方側の上記第１保持リブ（41a）が、隣り合う上記第１内側リブ（40）の一方から他方へ向かって突出し、他方側の上記第１保持リブ（41b）が、隣り合う上記第１内側リブ（40）の他方から一方へ向かって突出し、上記第１支柱部（42）が、一方側の上記第１保持リブ（41a）の突端と、他方側の上記第１保持リブ（41b）の突端とに接続することを特徴とする。
【００２２】
また、本開示の第４の態様は、上記第３の態様において、上記第２間隔保持部材（55）には、複数の上記第２内側リブ（70）が互いに平行に設けられ、上記第２間隔保持部材（55）では、隣り合う上記第２内側リブ（70）の間において、一方側の上記第２保持リブ（71a）が、隣り合う上記第２内側リブ（70）の一方から他方へ向かって突出し、他方側の上記第２保持リブ（71b）が、隣り合う上記第２内側リブ（70）の他方から一方へ向かって突出し、上記第２支柱部（72）が、一方側の上記第２保持リブ（71a）の突端と、他方側の上記第２保持リブ（71b）の突端とに接続することを特徴とする。
【００２３】
第４の態様の第１間隔保持部材（25）では、隣り合う第１内側リブ（40）の一方から突出する第１保持リブ（41a）の突端と、それらの他方から突出する第１保持リブ（41b）の突端とに、第１支柱部（42）が接続する。第１支柱部（42）は、一方側の第１保持リブ（41a）の突端と、他方側の第１保持リブ（41b）の突端との間隔を保持し、各第１保持リブ（41a,41b）の撓みを抑える。
【００２４】
また、第４の態様の第２間隔保持部材（55）では、隣り合う第２内側リブ（70）の一方から突出する第２保持リブ（71a）の突端と、それらの他方から突出する第２保持リブ（71b）の突端とに、第２支柱部（72）が接続する。第２支柱部（72）は、一方側の第２保持リブ（71a）の突端と、他方側の第２保持リブ（71b）の突端との間隔を保持し、各第２保持リブ（71a,71b）の撓みを抑える。
【００２５】
本開示の第５の態様は、上記第２又は第３の態様において、上記第１間隔保持部材（25）には、複数の上記第１内側リブ（40）が互いに平行に設けられ、上記第１間隔保持部材（25）の隣り合う上記第１内側リブ（40）の間では、隣り合う上記第１内側リブ（40）の一方の伸長方向に、隣り合う上記第１内側リブ（40）の一方から他方へ向かって突出する一方側の上記第１保持リブ（41a）と、隣り合う上記第１内側リブ（40）の一方から他方へ向かって突出する他方側の上記第１保持リブ（41b）とが交互に設けられ、隣り合う上記第１内側リブ（40）の他方の伸長方向に、隣り合う上記第１内側リブ（40）の他方から一方へ向かって突出する他方側の上記第１保持リブ（41b）と、隣り合う上記第１内側リブ（40）の他方から一方へ向かって突出する一方側の上記第１保持リブ（41a）とが交互に設けられることを特徴とする。
【００２６】
また、本開示の第５の態様は、上記第２又は第３の態様において、上記第２間隔保持部材（55）には、複数の上記第２内側リブ（70）が互いに平行に設けられ、上記第２間隔保持部材（55）の隣り合う上記第２内側リブ（70）の間では、隣り合う上記第２内側リブ（70）の一方の伸長方向に、隣り合う上記第２内側リブ（70）の一方から他方へ向かって突出する一方側の上記第２保持リブ（71a）と、隣り合う上記第２内側リブ（70）の一方から他方へ向かって突出する他方側の上記第２保持リブ（71b）とが交互に設けられ、隣り合う上記第２内側リブ（70）の他方の伸長方向に、隣り合う上記第２内側リブ（70）の他方から一方へ向かって突出する他方側の上記第２保持リブ（71b）と、隣り合う上記第２内側リブ（70）の他方から一方へ向かって突出する一方側の上記第２保持リブ（71a）とが交互に設けられることを特徴とする。
【００２７】
第５の態様の第１間隔保持部材（25）では、隣り合う第１内側リブ（40）の一方の伸長方向に、その第１内側リブ（40）から突出する一方側の第１保持リブ（41a）と他方側の第１保持リブ（41b）とが交互に設けられる。また、この第１間隔保持部材（25）では、隣り合う第１内側リブ（40）の他方の伸長方向に、その第１内側リブ（40）から突出する他方側の第１保持リブ（41b）と一方側の第１保持リブ（41a）とが交互に設けられる。
【００２８】
第５の態様において、第１間隔保持部材（25）に隣接する一方の仕切り部材（15）は、隣り合う第１内側リブ（40）の一方から突出する一方側の第１保持リブ（41a）と、隣り合う第１内側リブ（40）の他方から突出する一方側の第１保持リブ（41a）とによって支持される。また、第１間隔保持部材（25）に隣接する他方の仕切り部材（15）は、隣り合う第１内側リブ（40）の一方から突出する他方側の第１保持リブ（41b）と、隣り合う第１内側リブ（40）の他方から突出する他方側の第１保持リブ（41b）とによって支持される。
【００２９】
第５の態様の第２間隔保持部材（55）では、隣り合う第２内側リブ（70）の一方の伸長方向に、その第２内側リブ（70）から突出する一方側の第１保持リブ（41a）と他方側の第１保持リブ（41b）とが交互に設けられる。また、この第２間隔保持部材（55）では、隣り合う第２内側リブ（70）の他方の伸長方向に、その第２内側リブ（70）から突出する他方側の第１保持リブ（41b）と一方側の第１保持リブ（41a）とが交互に設けられる。
【００３０】
第５の態様において、第２間隔保持部材（55）に隣接する一方の仕切り部材（15）は、隣り合う第２内側リブ（70）の一方から突出する一方側の第２保持リブ（71a）と、隣り合う第２内側リブ（70）の他方から突出する一方側の第２保持リブ（71a）とによって支持される。また、第２間隔保持部材（55）に隣接する他方の仕切り部材（15）は、隣り合う第２内側リブ（70）の一方から突出する他方側の第２保持リブ（71b）と、隣り合う第２内側リブ（70）の他方から突出する他方側の第２保持リブ（71b）とによって支持される。
【００３１】
本開示の第６の態様は、上記第１の態様において、上記第１間隔保持部材（25）の上記第１保持リブ（41b）は、該第１間隔保持部材（25）と隣り合う二つの上記仕切り部材（15）の一方と接し、上記第１間隔保持部材（25）は、上記第１保持リブ（41b）から突出し、該第１間隔保持部材（25）と隣り合う二つの上記仕切り部材（15）の他方に突端が接する第１支柱部（42）を備えることを特徴とする。
【００３２】
また、本開示の第６の態様は、上記第１の態様において、上記第２間隔保持部材（55）の上記第２保持リブ（71b）は、該第２間隔保持部材（55）と隣り合う二つの上記仕切り部材（15）の一方と接し、上記第２間隔保持部材（55）は、上記第２保持リブ（71b）から突出し、該第２間隔保持部材（55）と隣り合う二つの上記仕切り部材（15）の他方に突端が接する第２支柱部（72）を備えることを特徴とする。
【００３３】
第６の態様の第１間隔保持部材（25）では、その両隣に位置する二つの仕切り部材（15）のうちの一方に第１保持リブ（41b）が接し、他方に第１支柱部（42）の突端が接する。第１間隔保持部材（25）に隣接する一方の仕切り部材（15）は、第１保持リブ（41b）と、その仕切り部材（15）に接する第２間隔保持部材（55）の第２内側リブ（70）とに挟まれる。第１間隔保持部材（25）に隣接する他方の仕切り部材（15）は、第１支柱部（42）と、その仕切り部材（15）に接する第２間隔保持部材（55）の第２内側リブ（70）とに挟まれる。
【００３４】
また、第６の態様の第２間隔保持部材（55）では、その両隣に位置する二つの仕切り部材（15）のうちの一方に第２保持リブ（71b）が接し、他方に第２支柱部（72）の突端が接する。第２間隔保持部材（55）に隣接する一方の仕切り部材（15）は、第２保持リブ（71b）と、その仕切り部材（15）に接する第１間隔保持部材（25）の第１内側リブ（40）とに挟まれる。第２間隔保持部材（55）に隣接する他方の仕切り部材（15）は、第２支柱部（72）と、その仕切り部材（15）に接する第１間隔保持部材（25）の第１内側リブ（40）とに挟まれる。
【００３５】
本開示の第７の態様は、上記第１〜第６の何れか一つの態様において、上記第１間隔保持部材（25）は、該第１間隔保持部材（25）の上記枠部（30）によって囲まれた上記第１流路（21）に設けられ、該第１間隔保持部材（25）と隣り合う二つの上記仕切り部材（15）と接する第１流路内リブ（45）と、上記第１流路内リブ（45）と交わる方向に延び、該第１間隔保持部材（25）の隣に位置する一つの上記仕切り部材（15）と接する第１支持リブ（46a,46b）とを備えることを特徴とする。
【００３６】
また、本開示の第７の態様は、上記第１〜第６の何れか一つの態様において、上記第２間隔保持部材（55）は、該第２間隔保持部材（55）の上記枠部（60）によって囲まれた上記第２流路（51）に設けられ、上記第１間隔保持部材（25）の上記第１流路内リブ（45）に沿って延び、該第２間隔保持部材（55）と隣り合う二つの上記仕切り部材（15）と接する第２流路内リブ（75）と、上記第２流路内リブ（75）と交わる方向に延び、該第２間隔保持部材（55）の隣に位置する一つの上記仕切り部材（15）と接する第２支持リブ（76a,76b）とを備えることを特徴とする。
【００３７】
第７の態様の熱交換器（10）では、第１間隔保持部材（25）に第１流路内リブ（45）が設けられ、第２間隔保持部材（55）に第２流路内リブ（75）が設けられる。第１流路内リブ（45）は、第１間隔保持部材（25）の両側に位置する二つの仕切り部材（15）と接する。第２流路内リブ（75）は、第２間隔保持部材（55）の両側に位置する二つの仕切り部材（15）と接する。また、第２流路内リブ（75）は、第１流路内リブ（45）に沿っている。そのため、第１間隔保持部材（25）と第２間隔保持部材（55）の間に位置する仕切り部材（15）は、第１流路内リブ（45）と第２流路内リブ（75）に挟まれる。
【００３８】
また、第７の態様の熱交換器（10）では、第１間隔保持部材（25）に第１支持リブ（46a,46b）が設けられ、第２間隔保持部材（55）に第２支持リブ（76a,76b）が設けられる。第１支持リブ（46a,46b）は、第１間隔保持部材（25）に隣接する一方の仕切り部材（15）と接し、この仕切り部材（15）を支持する。第２支持リブ（76a,76b）は、第２間隔保持部材（55）に隣接する一方の仕切り部材（15）と接し、この仕切り部材（15）を支持する。
【図面の簡単な説明】
【００３９】
【図１】図１は、実施形態１の熱交換器の斜視図である。
【図２】図２は、実施形態１の熱交換器の平面図である。
【図３】図３は、実施形態１の熱交換器の一部を抜き出して示す平面図である。
【図４】図４は、図３のXI−XI断面の周辺を示す斜視図である。
【図５】図５は、実施形態１の第１フレームの平面図である。
【図６】図６は、実施形態１の第１フレームの一部を表（おもて）面側から見た状態を示す斜視図である。
【図７】図７は、実施形態１の第１フレームの一部を裏面側から見た状態を示す斜視図である。
【図８】図８は、実施形態１の第２フレームの平面図である。
【図９】図９は、実施形態１の第２フレームの一部を表（おもて）面側から見た状態を示す斜視図である。
【図１０】図１０は、実施形態１の第２フレームの一部を裏面側から見た状態を示す斜視図である。
【図１１】図１１は、図３のXI−XI断面を示す熱交換器の一部の断面図である。
【図１２】図１２は、実施形態１の第１エレメントおよび第２エレメントの図１１に対応する断面を並べて示す断面図である。
【図１３】図１３は、図３のXIII−XIII断面を示す熱交換器の一部の断面図である。
【図１４】図１４は、実施形態１の第１エレメントおよび第２エレメントの図１３に対応する断面を並べて示す断面図である。
【図１５】図１５は、図３のXV−XV断面を示す熱交換器の一部の断面図である。
【図１６】図１６は、実施形態１の第１エレメントおよび第２エレメントの図１５に対応する断面を並べて示す断面図である。
【図１７】図１７は、実施形態２の第１フレームの図６に対応する斜視図である。
【図１８】図１８は、実施形態２の第１フレームの一部を拡大して示す平面図である。
【図１９】図１９は、実施形態２の第２フレームの一部を拡大して示す平面図である。
【図２０】図２０は、実施形態２の熱交換器の図１１に対応する断面を示す断面図である。
【図２１】図２１は、実施形態３の第１フレームの図６に対応する斜視図である。
【図２２】図２２は、実施形態３の第１フレームの一部を拡大して示す平面図である。
【図２３】図２３は、実施形態３の第２フレームの一部を拡大して示す平面図である。
【図２４】図２４は、実施形態３の熱交換器の図１１に対応する断面を示す断面図である。
【図２５】図２５は、実施形態３の変形例１の第１フレームの図６に対応する斜視図である。
【図２６】図２６は、実施形態３の変形例１の第１フレームの一部を拡大して示す平面図である。
【図２７】図２７は、実施形態３の変形例１の第２フレームの一部を拡大して示す平面図である。
【図２８】図２８は、実施形態４の第１フレームの図６に対応する斜視図である。
【図２９】図２９は、実施形態４の第１フレームの一部を拡大して示す平面図である。
【図３０】図３０は、実施形態４の第２フレームの一部を拡大して示す平面図である。
【図３１】図３１は、実施形態４の熱交換器の図１１に対応する断面を示す断面図である。
【発明を実施するための形態】
【００４０】
《実施形態１》
実施形態１について説明する。本実施形態の熱交換器（10）は、いわゆる全熱交換器である。この熱交換器（10）は、換気装置に設けられ、室内へ供給される室外空気（給気）と、室外へ排出される室内空気（排気）との間で、顕熱と潜熱（水分）を交換させる。
【００４１】
−熱交換器の全体構成−
図１に示すように、熱交換器（10）は、端面が多角形の柱状に形成される。本実施形態の熱交換器（10）の端面は、横長の八角形状である。図２にも示すように、熱交換器（10）には、一つの主熱交換部（11）と、二つの副熱交換部（12a,12b）とが形成される。
【００４２】
主熱交換部（11）は、熱交換器（10）のうち図２の左右方向の中央に位置する。図２に示す熱交換器（10）の平面図において、主熱交換部（11）は、横長の長方形状の部分である。副熱交換部（12a,12b）は、熱交換器（10）のうち図２の左右方向における主熱交換部（11）の側方に位置する。熱交換器（10）では、図２の左右方向における主熱交換部（11）の両側に、副熱交換部（12a,12b）が一つずつ配置される。図２に示す熱交換器（10）の平面図において、各副熱交換部（12a,12b）は、台形状の部分である。
【００４３】
熱交換器（10）は、第１エレメント（20）及び第２エレメント（50）を複数ずつ備える。熱交換器（10）において、第１エレメント（20）と第２エレメント（50）は、交互に重なり合っている。第１エレメント（20）は、第１流路（21）を形成する。第１流路（21）は、給気が流れる流路である。第２エレメント（50）は、第２流路（51）を形成する。第２流路（51）は、排気が流れる流路である。熱交換器（10）では、第１エレメント（20）及び第２エレメント（50）の積層方向に、第１流路（21）と第２流路（51）が交互に形成される。
【００４４】
熱交換器（10）の側面（第１エレメント（20）及び第２エレメント（50）の積層方向に沿った面）には、第１流入口（22a）と、第１流出口（22b）と、第２流入口（52a）と、第２流出口（52b）とが形成される。第１流入口（22a）及び第１流出口（22b）は、第１エレメント（20）に形成されて第１流路（21）に連通する。第２流入口（52a）及び第２流出口（52b）は、第２エレメント（50）に形成されて第２流路（51）に連通する。
【００４５】
図２及び図３にも示すように、第１流入口（22a）と、第１流出口（22b）と、第２流入口（52a）と、第２流出口（52b）とは、それぞれが熱交換器（10）の異なる側面に形成される。熱交換器（10）の一方の副熱交換部（12a）では、一つの側面に第１流入口（22a）が開口し、他の側面に第２流出口（52b）が開口する。熱交換器（10）の他方の副熱交換部（12b）では、一つの側面に第１流出口（22b）が開口し、他の側面に第２流入口（52a）が開口する。
【００４６】
熱交換器（10）の側面は、積層された第１エレメント（20）及び第２エレメント（50）の外周面によって構成される。熱交換器（10）の側面は、実質的な平面である。
【００４７】
−空気の流れと熱交換作用−
図２に示すように、熱交換器（10）では、第１流入口（22a）へ室外空気ＯＡが流入し、第２流入口（52a）に室内空気ＲＡが流入する。第１流入口（22a）へ流入した室外空気ＯＡは、給気として第１流路（21）を流れ、一方の副熱交換部（12a）と、主熱交換部（11）と、他方の副熱交換部（12b）とを順に通過し、その後に第１流出口（22b）から流出して室内へ供給される。第２流入口（52a）へ流入した室外空気ＯＡは、排気として第２流路（51）を流れ、他方の副熱交換部（12b）と、主熱交換部（11）と、一方の副熱交換部（12a）とを順に通過し、その後に第２流出口（52b）から流出して室外へ排出される。
【００４８】
熱交換器（10）の各副熱交換部（12a,12b）において、第１流路（21）を流れる給気と第２流路（51）を流れる排気とは、互いに交差する方向に流れる。熱交換器（10）の主熱交換部（11）において、第１流路（21）を流れる給気と第２流路（51）を流れる排気とは、互いに逆向きに流れる。
【００４９】
熱交換器（10）では、第１流路（21）を流れる給気と第２流路（51）を流れる排気との間で、顕熱と潜熱（水分）の交換が行われる。熱交換器（10）では、給気と排気のうち温度が高い方から温度が低い方へ熱が移動する。また、熱交換器（10）では、給気と排気のうち湿度が高い方から湿度が低い方へ水分が移動する。
【００５０】
−第１エレメント、第２エレメント−
図４，図１２，図１４，図１６に示すように、第１エレメント（20）は第１フレーム（25）と仕切りシート（15）とを備え、第２エレメント（50）は第２フレーム（55）と仕切りシート（15）とを備える。
【００５１】
詳しくは後述するが、第１フレーム（25）と第２フレーム（55）のそれぞれは、射出成形によって形成された樹脂製の扁平な部材である。以下の説明では、図４，図１２，図１４，図１６における第１フレーム（25）及び第２フレーム（55）の上面を「表（おもて）面」とし、図４，図１２，図１４，図１６における第１フレーム（25）及び第２フレーム（55）の下面を「裏面」とする。
【００５２】
仕切りシート（15）は、透湿性が高くて通気性が低いシート状の部材である。この仕切りシート（15）は、第１流路（21）と第２流路（51）を仕切る仕切り部材である。仕切りシート（15）の材質は、親水基と疎水基を含む高分子材料（例えば、ポリウレタン）である。仕切りシート（15）の厚さは、例えば１〜３０μｍ程度である。
【００５３】
なお、仕切りシート（15）は、紙や不織布などによって構成されていてもよい。仕切りシート（15）を構成する紙または不織布の材質としては、繊維状の樹脂、繊維状の金属、ガラス繊維、パルプが例示される。
【００５４】
第１エレメント（20）において、仕切りシート（15）は、接着剤によって第１フレーム（25）の裏面に接着される。仕切りシート（15）は、第１フレーム（25）の裏面のほぼ全体を覆う。第２エレメント（50）において、仕切りシート（15）は、接着剤によって第２フレーム（55）の裏面に接着される。仕切りシート（15）は、第２フレーム（55）の裏面のほぼ全体を覆う。
【００５５】
−第１フレーム−
図５に示すように、第１フレーム（25）は、平面視で横長の八角形状に形成される。平面視における第１フレーム（25）の外形は、熱交換器（10）の端面の形状と実質的に同じである。第１フレーム（25）は、隣り合う仕切りシート（15）の間隔を保つ第１間隔保持部材である。
【００５６】
第１フレーム（25）には、一つの中央エリア（26）と、二つの端部エリア（27a,27b）とが形成される。中央エリア（26）は、横長の長方形状のエリアであって、図５の左右方向の中央に位置する。第１フレーム（25）において、端部エリア（27a,27b）は、中央エリア（26）の両側に一つずつ形成される。端部エリア（27a,27b）は、図５の左右方向における中央エリア（26）の側方に位置する台形状のエリアである。
【００５７】
〈枠部〉
第１フレーム（25）は、枠部（30）を備える。枠部（30）は、第１フレーム（25）の外周に沿って延びる部分であって、第１フレーム（25）の全周に亘って形成される。言い換えると、枠部（30）は、横長の八角形の枠状に形成される。枠部（30）は、第１フレーム（25）によって形成される第１流路（21）の周囲を囲う。また、枠部（30）は、仕切りシート（15）の周縁に沿っている。
【００５８】
第１フレーム（25）の枠部（30）には、二つの第１連通用開口（22）が形成される。各第１連通用開口（22）は、枠部（30）に囲まれた第１流路（21）を、枠部（30）の外側と連通させる。図５に示す枠部（30）において、一方の第１連通用開口（22）は、左側の端部エリア（27a）に位置する下向きの斜辺のほぼ全長に亘って形成され、第１流入口（22a）を構成する。また、図５に示す枠部（30）において、他方の第１連通用開口（22）は、右側の端部エリア（27b）に位置する上向きの斜辺のほぼ全長に亘って形成され、第１流出口（22b）を構成する。
【００５９】
図５〜図７に示すように、第１フレーム（25）の枠部（30）は、閉塞部（31）と、外側リブ（33）と、補助リブ（32）とを備える。外側リブ（33）は、その一部が凸条部（34）を構成する。閉塞部（31）には、凹条部（35）が形成される。
【００６０】
閉塞部（31）は、枠部（30）のうち第１連通用開口（22）が形成されていない六つの辺に沿って延びる。図１３〜図１６に示すように、閉塞部（31）の断面の形状は、矩形の一つの角部を切り欠いた形状である。閉塞部（31）は、枠部（30）に囲まれた第１流路（21）を枠部（30）の外部から仕切る。閉塞部（31）の厚さは、第１流路（21）の厚さと実質的に等しい。
【００６１】
図５に示すように、外側リブ（33）は、枠部（30）の外周に沿って延びる部分であって、枠部（30）の全周に亘って形成される。外側リブ（33）は、枠部（30）の八つの辺の全てに沿って形成される。外側リブ（33）は、閉塞部（31）の表（おもて）面側に配置され、閉塞部（31）と一体に形成される。
【００６２】
図１３〜図１６に示すように、外側リブ（33）は、閉塞部（31）に隣接する部分が凸条部（34）を構成する。凸条部（34）は、閉塞部（31）の最外周縁に沿って延び、閉塞部（31）の表面から突出する。凸条部（34）の外周面は、閉塞部（31）の外周面と共に一つの平面を形成する。
【００６３】
図１３〜図１６に示すように、凹条部（35）は、閉塞部（31）の裏面に開口する凹溝である。凹条部（35）は、閉塞部（31）の全長に亘って、閉塞部（31）の最外周縁に沿って形成される。凹条部（35）は、閉塞部（31）の外周面にも開口する。凹条部（35）の断面の形状は、後述する第２フレーム（55）の凸条部（64）の断面に対応した形状である。第１フレーム（25）の凹条部（35）には、第２フレーム（55）の外側リブ（63）が嵌り込む。従って、第１フレーム（25）の凹条部（35）には、第２フレーム（55）の外側リブ（63）の一部である凸条部（64）が嵌り込む。
【００６４】
図５〜図７に示すように、補助リブ（32）は、第１連通用開口（22）に沿って延びる部分である。補助リブ（32）は、枠部（30）の裏面側に配置される。図１１，図１２に示すように、補助リブ（32）の断面の形状は、扁平な長方形状である。補助リブ（32）の表（おもて）面は、隣り合う第２フレーム（55）の凸条部（64）の突端面（図１１における上面）と、同一平面上に位置する。補助リブ（32）の裏面は、閉塞部（31）の裏面と同一平面上に位置する。
【００６５】
〈第１内側リブ、第１保持リブ〉
図５〜図７に示すように、第１フレーム（25）は、第１内側リブ（40）と、第１保持リブ（41a,41b）とを備える。第１内側リブ（40）及び第１保持リブ（41a,41b）は、第１フレーム（25）の各端部エリア（27a,27b）に設けられる。
【００６６】
第１内側リブ（40）は、真っ直ぐな棒状に形成され、第１連通用開口（22）と交わる方向に延びる。本実施形態において、第１内側リブ（40）は、枠部（30）の第１連通用開口（22）が形成された辺から、その辺と実質的に直交する方向に延びる。第１内側リブ（40）の高さは、第１流路（21）の厚さと実質的に等しい（図１１を参照）。
【００６７】
本実施形態の第１フレーム（25）の各端部エリア（27a,27b）には、四本の第１内側リブ（40）が、互いに平行な姿勢で、互いに概ね一定の間隔をおいて配置される。各端部エリア（27a,27b）において、四本の第１内側リブ（40）は、補助リブ（32）によって互いに連結される。各第１内側リブ（40）は、補助リブ（32）と一体に形成される。各第１内側リブ（40）の裏面は、補助リブ（32）の裏面と同一平面上に位置する。
【００６８】
第１保持リブ（41a,41b）は、真っ直ぐな棒状に形成され、第１内側リブ（40）と実質的に直交する方向に延びる。第１保持リブ（41a,41b）は、隣り合う第１内側リブ（40）の一方から他方に亘って形成される。言い換えると、第１保持リブ（41a,41b）は、第１流路（21）のうち隣り合う第１内側リブ（40）の間の部分を横断する。
【００６９】
図６，図７に示すように、隣り合う第１内側リブ（40）の間において、第１保持リブ（41a,41b）は、第１フレーム（25）の表（おもて）面側と裏面側に一つずつ配置される。第１フレーム（25）の表面側の第１保持リブ（41a）は、その表（おもて）面が、第１内側リブ（40）及び閉塞部（31）の表（おもて）面と同一平面上に位置する。第１フレーム（25）の裏面側の第１保持リブ（41b）は、その裏面が、第１内側リブ（40）及び閉塞部（31）の裏面と同一平面上に位置する。
【００７０】
図１１に示すように、第１保持リブ（41a,41b）は、後述する第２フレーム（55）の第２内側リブ（70）に沿って設けられる。平面視において、各第１保持リブ（41a,41b）は、その全長に亘って、隣り合う第２フレーム（55）の第２内側リブ（70）と重なり合う。また、第１フレーム（25）の表面側の第１保持リブ（41a）と、その裏面側の第１保持リブ（41b）は、平面視において互いに重なり合わない位置に設けられる。
【００７１】
各第１保持リブ（41a,41b）の厚さは、第１内側リブ（40）の厚さの半分未満である。第１フレーム（25）の表面側の第１保持リブ（41a）と、その裏面側の第１保持リブ（41b）は、第１内側リブ（40）の厚さ方向において離れている。
【００７２】
〈第１流路内リブ、第１支持リブ〉
図５〜図７に示すように、第１フレーム（25）は、第１流路内リブ（45）と、第１支持リブ（46a,46b）とを備える。第１流路内リブ（45）及び第１支持リブ（46a,46b）は、第１フレーム（25）の中央エリア（26）に設けられる。
【００７３】
第１流路内リブ（45）は、真っ直ぐな棒状に形成され、中央エリア（26）の長辺と平行な方向に延びる。言い換えると、第１流路内リブ（45）は、一方の端部エリア（27a）から他方の端部エリア（27b）に向かって延びる。第１流路内リブ（45）の高さは、第１流路（21）の厚さと実質的に等しい（図１５を参照）。本実施形態の第１フレーム（25）の中央エリア（26）には、九本の第１流路内リブ（45）が、互いに平行な姿勢で、互いに概ね一定の間隔をおいて配置される。
【００７４】
図５，図１５に示すように、第１支持リブ（46a,46b）は、真っ直ぐな棒状に形成され、第１流路内リブ（45）と実質的に直交する方向に延びる。第１支持リブ（46a,46b）は、隣り合う第１流路内リブ（45）の一方から他方に亘って形成される。言い換えると、第１支持リブ（46a,46b）は、第１流路（21）のうち隣り合う第１流路内リブ（45）の間の部分を横断する。
【００７５】
図１５に示すように、隣り合う第１流路内リブ（45）の間において、第１支持リブ（46a,46b）は、第１フレーム（25）の表（おもて）面側と裏面側に一つずつ配置される。第１フレーム（25）の表面側の第１支持リブ（46a）は、その表（おもて）面が、第１流路内リブ（45）及び閉塞部（31）の表（おもて）面と同一平面上に位置する。第１フレーム（25）の裏面側の第１支持リブ（46b）は、その裏面が、第１流路内リブ（45）及び閉塞部（31）の裏面と同一平面上に位置する。
【００７６】
各第１支持リブ（46a,46b）の厚さは、第１流路内リブ（45）の厚さの半分未満である。第１フレーム（25）の表面側の第１支持リブ（46a）と、その裏面側の第１支持リブ（46b）は、第１流路内リブ（45）の厚さ方向において離れている。また、第１フレーム（25）の表面側の第１支持リブ（46a）と、その裏面側の第１支持リブ（46b）は、平面視において互いに重なり合わない位置に設けられる。
【００７７】
−第２フレーム−
図８に示すように、第２フレーム（55）は、平面視で横長の八角形状に形成される。平面視における第２フレーム（55）の外形は、熱交換器（10）の端面の形状と実質的に同じである。第２フレーム（55）は、隣り合う仕切りシート（15）の間隔を保つ第２間隔保持部材である。
【００７８】
第２フレーム（55）には、一つの中央エリア（56）と、二つの端部エリア（57a,57b）とが形成される。中央エリア（56）は、横長の長方形状のエリアであって、図８の左右方向の中央に位置する。第２フレーム（55）において、端部エリア（57a,57b）は、中央エリア（56）の両側に一つずつ形成される。端部エリア（57a,57b）は、図８の左右方向における中央エリア（56）の側方に位置する台形状のエリアである。
【００７９】
〈枠部〉
第２フレーム（55）は、枠部（60）を備える。枠部（60）は、第２フレーム（55）の外周に沿って延びる部分であって、第２フレーム（55）の全周に亘って形成される。言い換えると、枠部（60）は、横長の八角形の枠状に形成される。枠部（60）は、第２フレーム（55）によって形成される第２流路（51）の周囲を囲う。また、枠部（60）は、仕切りシート（15）の周縁に沿っている。
【００８０】
第２フレーム（55）の枠部（60）には、二つの第２連通用開口（52）が形成される。各第２連通用開口（52）は、枠部（60）に囲まれた第２流路（51）を、枠部（60）の外側と連通させる。図８に示す枠部（60）において、一方の第２連通用開口（52）は、左側の端部エリア（57a）に位置する上向きの斜辺のほぼ全長に亘って形成され、第２流出口（52b）を構成する。また、図８に示す枠部（60）において、他方の第２連通用開口（52）は、右側の端部エリア（57b）に位置する下向きの斜辺のほぼ全長に亘って形成され、第２流入口（52a）を構成する。
【００８１】
図８〜図１０に示すように、第２フレーム（55）の枠部（60）は、閉塞部（61）と、外側リブ（63）と、補助リブ（62）とを備える。外側リブ（63）は、その一部が凸条部（64）を構成する。閉塞部（61）には、凹条部（65）が形成される。
【００８２】
閉塞部（61）は、枠部（60）のうち第２連通用開口（52）が形成されていない六つの辺に沿って延びる。図１１，図１２，図１５，図１６に示すように、閉塞部（61）の断面の形状は、矩形の一つの角部を切り欠いた形状である。閉塞部（61）は、枠部（60）に囲まれた第２流路（51）を枠部（60）の外部から仕切る。閉塞部（61）の厚さは、第２流路（51）の厚さと実質的に等しい。
【００８３】
図８に示すように、外側リブ（63）は、枠部（60）の外周に沿って延びる部分であって、枠部（60）の全周に亘って形成される。外側リブ（63）は、枠部（60）の八つの辺の全てに沿って形成される。外側リブ（63）は、閉塞部（61）の表（おもて）面側に配置され、閉塞部（61）と一体に形成される。
【００８４】
図１１，図１２，図１５，図１６に示すように、外側リブ（63）は、閉塞部（61）に隣接する部分が凸条部（64）を構成する。凸条部（64）は、閉塞部（61）の最外周縁に沿って延び、閉塞部（61）の表面から突出する。凸条部（64）の外周面は、閉塞部（61）の外周面と共に一つの平面を形成する。
【００８５】
図１１，図１２，図１５，図１６に示すように、凹条部（65）は、閉塞部（61）の裏面に開口する凹溝である。凹条部（65）は、閉塞部（61）の全長に亘って、閉塞部（61）の最外周縁に沿って形成される。凹条部（65）は、閉塞部（61）の外周面にも開口する。凹条部（65）の断面の形状は、第１フレーム（25）の凸条部（34）の断面に対応した形状である。第２フレーム（55）の凹条部（65）には、第１フレーム（25）の外側リブ（33）が嵌り込む。従って、第２フレーム（55）の凹条部（65）には、第１フレーム（25）の外側リブ（33）の一部である凸条部（34）が嵌り込む。
【００８６】
図８〜図１０に示すように、補助リブ（62）は、第２連通用開口（52）に沿って延びる部分である。補助リブ（62）は、枠部（60）の裏面側に配置される。図１３，図１４に示すように、補助リブ（62）の断面の形状は、扁平な長方形状である。補助リブ（62）の表（おもて）面は、隣り合う第１フレーム（25）の凸条部（34）の突端面（図１３における上面）と、同一平面上に位置する。補助リブ（62）の裏面は、閉塞部（61）の裏面と同一平面上に位置する。
【００８７】
〈第２内側リブ、第２保持リブ〉
図８〜図１０に示すように、第２フレーム（55）は、第２内側リブ（70）と、第２保持リブ（71a,71b）とを備える。第２内側リブ（70）及び第２保持リブ（71a,71b）は、第２フレーム（55）の各端部エリア（57a,57b）に設けられる。
【００８８】
第２内側リブ（70）は、真っ直ぐな棒状に形成され、第２連通用開口（52）と交わる方向に延びる。本実施形態において、第２内側リブ（70）は、枠部（60）の第２連通用開口（52）が形成された辺から、その辺と実質的に直交する方向に延びる。第２内側リブ（70）の高さは、第２流路（51）の厚さと実質的に等しい（図１３を参照）。
【００８９】
本実施形態の第２フレーム（55）の各端部エリア（57a,57b）には、四本の第２内側リブ（70）が、互いに平行な姿勢で、互いに概ね一定の間隔をおいて配置される。各端部エリア（57a,57b）において、四本の第２内側リブ（70）は、補助リブ（62）によって互いに連結される。各第２内側リブ（70）は、補助リブ（62）と一体に形成される。各第２内側リブ（70）の裏面は、補助リブ（62）の裏面と同一平面上に位置する。
【００９０】
第２保持リブ（71a,71b）は、真っ直ぐな棒状に形成され、第２内側リブ（70）と実質的に直交する方向に延びる。第２保持リブ（71a,71b）は、隣り合う第２内側リブ（70）の一方から他方に亘って形成される。言い換えると、第２保持リブ（71a,71b）は、第２流路（51）のうち隣り合う第２内側リブ（70）の間の部分を横断する。
【００９１】
図９，図１０に示すように、隣り合う第２内側リブ（70）の間において、第２保持リブ（71a,71b）は、第２フレーム（55）の表（おもて）面側と裏面側に一つずつ配置される。第２フレーム（55）の表面側の第２保持リブ（71a）は、その表（おもて）面が、第２内側リブ（70）及び閉塞部（61）の表（おもて）面と同一平面上に位置する。第２フレーム（55）の裏面側の第２保持リブ（71b）は、その裏面が、第２内側リブ（70）及び閉塞部（61）の裏面と同一平面上に位置する。
【００９２】
図１３に示すように、第２保持リブ（71a,71b）は、第１フレーム（25）の第１内側リブ（40）に沿って設けられる。平面視において、各第２保持リブ（71a,71b）は、その全長に亘って、隣り合う第１フレーム（25）の第１内側リブ（40）と重なり合う。また、第２フレーム（55）の表面側の第２保持リブ（71a）と、その裏面側の第２保持リブ（71b）は、平面視において互いに重なり合わない位置に設けられる。
【００９３】
各第２保持リブ（71a,71b）の厚さは、第２内側リブ（70）の厚さの半分未満である。第２フレーム（55）の表面側の第２保持リブ（71a）と、その裏面側の第２保持リブ（71b）は、第２内側リブ（70）の厚さ方向において離れている。
【００９４】
〈第２流路内リブ、第２支持リブ〉
図８〜図１０に示すように、第２フレーム（55）は、第２流路内リブ（75）と、第２支持リブ（76a,76b）とを備える。第２流路内リブ（75）及第２支持リブ（76a,76b）は、第２フレーム（55）の中央エリア（56）に設けられる。
【００９５】
第２流路内リブ（75）は、真っ直ぐな棒状に形成され、中央エリア（56）の長辺と平行な方向に延びる。言い換えると、第２流路内リブ（75）は、一方の端部エリア（57a）から他方の端部エリア（57b）に向かって延びる。第２流路内リブ（75）の高さは、第２流路（51）の厚さと実質的に等しい（図１５を参照）。本実施形態の第２フレーム（55）の中央エリア（56）には、九本の第２流路内リブ（75）が、互いに平行な姿勢で、互いに概ね一定の間隔をおいて配置される。
【００９６】
図８，図１５に示すように、第２支持リブ（76a,76b）は、真っ直ぐな棒状に形成され、第２流路内リブ（75）と実質的に直交する方向に延びる。第２支持リブ（76a,76b）は、隣り合う第２流路内リブ（75）の一方から他方に亘って形成される。言い換えると、第２支持リブ（76a,76b）は、第２流路（51）のうち隣り合う第２流路内リブ（75）の間の部分を横断する。
【００９７】
図１５に示すように、隣り合う第２流路内リブ（75）の間において、第２支持リブ（76a,76b）は、第２フレーム（55）の表（おもて）面側と裏面側に一つずつ配置される。第２フレーム（55）の表面側の第２支持リブ（76a）は、その表（おもて）面が、第２流路内リブ（75）及び閉塞部（61）の表（おもて）面と同一平面上に位置する。第２フレーム（55）の裏面側の第２支持リブ（76b）は、その裏面が、第１流路内リブ（45）及び閉塞部（61）の裏面と同一平面上に位置する。
【００９８】
各第２支持リブ（76a,76b）の厚さは、第２流路内リブ（75）の厚さの半分未満である。第２フレーム（55）の表面側の第２支持リブ（76a）と、その裏面側の第２支持リブ（76b）は、第２流路内リブ（75）の厚さ方向において離れている。また、第２フレーム（55）の表面側の第２支持リブ（76a）と、その裏面側の第２支持リブ（76b）は、平面視において互いに重なり合わない位置に設けられる。
【００９９】
−仕切りシートの保持構造−
第１エレメント（20）では、第１フレーム（25）の裏面に仕切りシート（15）が接着される。具体的に、第１フレーム（25）の枠部（30）では、閉塞部（31）の裏面と補助リブ（32）の裏面とに、仕切りシート（15）が接着される（図１２，図１４，図１６を参照）。閉塞部（31）では、凹条部（35）の壁面に仕切りシート（15）が接着される。凹条部（35）の壁面は、仕切りシート（15）に覆われる。第１フレーム（25）の各端部エリア（27a,27b）では、第１内側リブ（40）と、裏面側の第１保持リブ（41b）とに、仕切りシート（15）が接着される。第１フレーム（25）の中央エリア（26）では、第１流路内リブ（45）と、裏面側の第１支持リブ（46b）とに、仕切りシート（15）が接着される。
【０１００】
第２エレメント（50）では、第２フレーム（55）の裏面に仕切りシート（15）が接着される。具体的に、第２フレーム（55）の枠部（60）では、閉塞部（61）の裏面と補助リブ（62）の裏面とに、仕切りシート（15）が接着される（図１２，図１４，図１６を参照）。閉塞部（61）では、凹条部（65）の壁面に仕切りシート（15）が接着される。凹条部（65）の壁面は、仕切りシート（15）に覆われる。第２フレーム（55）の各端部エリア（57a,57b）では、第２内側リブ（70）と、裏面側の第２保持リブ（71b）とに、仕切りシート（15）が接着される。第２フレーム（55）の中央エリア（56）では、第２流路内リブ（75）と、裏面側の第２支持リブ（76b）とに、仕切りシート（15）が接着される。
【０１０１】
熱交換器（10）では、第１エレメント（20）と第２エレメント（50）が複数ずつ交互に積層される。各エレメント（20,50）の仕切りシート（15）は、隣り合う第１フレーム（25）と第２フレーム（55）に挟まれる。
【０１０２】
〈副熱交換部における保持構造（１）〉
図１１に示すように、熱交換器（10）の副熱交換部（12a,12b）の第１連通用開口（22）が形成された部分では、第１フレーム（25）の外側リブ（33）のうち第１連通用開口（22）に沿った部分が、その第１フレーム（25）の表（おもて）面側に位置する隣の第２フレーム（55）の閉塞部（61）の凹条部（65）に嵌まり込む。第２フレーム（55）の閉塞部（61）では、凹条部（65）の壁面が仕切りシート（15）で覆われる。このため、第２フレーム（55）の閉塞部（61）に接着された仕切りシート（15）は、第１フレーム（25）の外側リブ（33）の表（おもて）面と、第２フレーム（55）の凹条部（65）の壁面とに挟まれる。このように、第２エレメント（50）の仕切りシート（15）は、第２フレーム（55）の閉塞部（61）に接着されると共に、第１フレーム（25）の外側リブ（33）と第２フレーム（55）の閉塞部（61）に挟まれる。
【０１０３】
熱交換器（10）の副熱交換部（12a,12b）の第１連通用開口（22）が形成された部分では、第１フレーム（25）の補助リブ（32）の裏面が、その第１フレーム（25）の裏面側に位置する隣の第２フレーム（55）の閉塞部（61）の表（おもて）面と向かい合う。第１フレーム（25）では、補助リブ（32）の裏面が仕切りシート（15）で覆われる。このため、第１フレーム（25）の補助リブ（32）に接着された仕切りシート（15）は、第１フレーム（25）の補助リブ（32）の裏面と、第２フレーム（55）の閉塞部（61）の表（おもて）面とに挟まれる。このように、第１エレメント（20）の仕切りシート（15）は、第１フレーム（25）の補助リブ（32）に接着されると共に、第１フレーム（25）の補助リブ（32）と第２フレーム（55）の閉塞部（61）に挟まれる。
【０１０４】
熱交換器（10）の副熱交換部（12a,12b）では、第１フレーム（25）の表（おもて）面側の第１保持リブ（41a）の表面が、その第１フレーム（25）の表面側に位置する隣の第２フレーム（55）の第２内側リブ（70）の裏面と向かい合う。第２フレーム（55）では、第２内側リブ（70）の裏面に仕切りシート（15）が接着される。このため、第２フレーム（55）の第２内側リブ（70）に接着された仕切りシート（15）は、第１フレーム（25）の第１保持リブ（41a）の表（おもて）面と、第２フレーム（55）の第２内側リブ（70）の裏面とに挟まれる。このように、第２エレメント（50）の仕切りシート（15）は、第２フレーム（55）の第２内側リブ（70）に接着されると共に、第１フレーム（25）の第１保持リブ（41a）と第２フレーム（55）の第２内側リブ（70）に挟まれる。
【０１０５】
熱交換器（10）の副熱交換部（12a,12b）では、第１フレーム（25）の裏面側の第１保持リブ（41b）の裏面が、その第１フレーム（25）の裏面側に位置する隣の第２フレーム（55）の第２内側リブ（70）の表（おもて）面と向かい合う。第１フレーム（25）では、第１保持リブ（41b）の裏面に仕切りシート（15）が接着される。このため、第１フレーム（25）の第１保持リブ（41b）に接着された仕切りシート（15）は、第１フレーム（25）の第１保持リブ（41a）の裏面と、第２フレーム（55）の第２内側リブ（70）の表（おもて）面とに挟まれる。このように、第１エレメント（20）の仕切りシート（15）は、第１フレーム（25）の第１保持リブ（41b）に接着されると共に、第１フレーム（25）の第１保持リブ（41a）と第２フレーム（55）の第２内側リブ（70）に挟まれる。
【０１０６】
〈副熱交換部における保持構造（２）〉
図１３に示すように、熱交換器（10）の副熱交換部（12a,12b）の第２連通用開口（52）が形成された部分では、第２フレーム（55）の外側リブ（63）のうち第２連通用開口（52）に沿った部分が、その第２フレーム（55）の表（おもて）面側に位置する隣の第１フレーム（25）の閉塞部（31）の凹条部（35）に嵌まり込む。第１フレーム（25）の閉塞部（31）では、凹条部（35）の壁面が仕切りシート（15）で覆われる。このため、第１フレーム（25）の閉塞部（31）に接着された仕切りシート（15）は、第２フレーム（55）の外側リブ（63）の表（おもて）面と、第１フレーム（25）の凹条部（35）の壁面とに挟まれる。このように、第１エレメント（20）の仕切りシート（15）は、第１フレーム（25）の閉塞部（31）に接着されると共に、第２フレーム（55）の外側リブ（63）と第１フレーム（25）の閉塞部（31）に挟まれる。
【０１０７】
熱交換器（10）の副熱交換部（12a,12b）の第２連通用開口（52）が形成された部分では、第２フレーム（55）の補助リブ（62）の裏面が、その第２フレーム（55）の裏面側に位置する隣の第１フレーム（25）の閉塞部（31）の表（おもて）面と向かい合う。第２フレーム（55）では、補助リブ（62）の裏面が仕切りシート（15）で覆われる。このため、第２フレーム（55）の補助リブ（62）に接着された仕切りシート（15）は、第２フレーム（55）の補助リブ（62）の裏面と、第１フレーム（25）の閉塞部（31）の表（おもて）面とに挟まれる。このように、第２エレメント（50）の仕切りシート（15）は、第２フレーム（55）の補助リブ（62）に接着されると共に、第２フレーム（55）の補助リブ（62）と第１フレーム（25）の閉塞部（31）に挟まれる。
【０１０８】
熱交換器（10）の副熱交換部（12a,12b）では、第２フレーム（55）の表（おもて）面側の第２保持リブ（71a）の表面が、その第２フレーム（55）の表面側に位置する隣の第１フレーム（25）の第１内側リブ（40）の裏面と向かい合う。第１フレーム（25）では、第１内側リブ（40）の裏面に仕切りシート（15）が接着される。このため、第１フレーム（25）の第１内側リブ（40）に接着された仕切りシート（15）は、第２フレーム（55）の第２保持リブ（71a）の表（おもて）面と、第１フレーム（25）の第１内側リブ（40）の裏面とに挟まれる。このように、第１エレメント（20）の仕切りシート（15）は、第１フレーム（25）の第１内側リブ（40）に接着されると共に、第２フレーム（55）の第２保持リブ（71a）と第１フレーム（25）の第１内側リブ（40）に挟まれる。
【０１０９】
熱交換器（10）の副熱交換部（12a,12b）では、第２フレーム（55）の裏面側の第２保持リブ（71b）の裏面が、その第２フレーム（55）の裏面側に位置する隣の第１フレーム（25）の第１内側リブ（40）の表（おもて）面と向かい合う。第２フレーム（55）では、第２保持リブ（71b）の裏面に仕切りシート（15）が接着される。このため、第２フレーム（55）の第２保持リブ（71b）に接着された仕切りシート（15）は、第２フレーム（55）の第２保持リブ（71a）の裏面と、第１フレーム（25）の第１内側リブ（40）の表（おもて）面とに挟まれる。このように、第２エレメント（50）の仕切りシート（15）は、第２フレーム（55）の第２保持リブ（71b）に接着されると共に、第２フレーム（55）の第２保持リブ（71a）と第１フレーム（25）の第１内側リブ（40）に挟まれる。
【０１１０】
〈主熱交換部における保持構造〉
熱交換器（10）の主熱交換部（11）では、第１フレーム（25）の第１流路内リブ（45）の裏面が、その第１フレーム（25）の裏面側に位置する隣の第２フレーム（55）の第２流路内リブ（75）の表（おもて）面と向かい合う。第１フレーム（25）では、第１流路内リブ（45）の裏面に仕切りシート（15）が接着される。このため、第１フレーム（25）の第１流路内リブ（45）に接着された仕切りシート（15）は、第１フレーム（25）の第１流路内リブ（45）の裏面と、第２フレーム（55）の第２流路内リブ（75）の表（おもて）面とに挟まれる。このように、第１エレメント（20）の仕切りシート（15）は、第１フレーム（25）の第１内側リブ（40）に接着されると共に、第１フレーム（25）の第１内側リブ（40）と第２フレーム（55）の第２流路内リブ（75）に挟まれる。
【０１１１】
熱交換器（10）の主熱交換部（11）では、第１フレーム（25）の裏面側の第１支持リブ（46b）の裏面が、その第１フレーム（25）の裏面側に位置する隣の第２フレーム（55）の表（おもて）面側の第２支持リブ（76a）の表面と向かい合う。第１フレーム（25）では、第１支持リブ（46b）の裏面に仕切りシート（15）が接着される。このため、第１フレーム（25）の第１支持リブ（46b）に接着された仕切りシート（15）は、第１フレーム（25）の第１支持リブ（46b）の裏面と、第２フレーム（55）の第２支持リブ（76a）の表（おもて）面とに挟まれる。このように、第１エレメント（20）の仕切りシート（15）は、第１フレーム（25）の第１支持リブ（46b）に接着されると共に、第１フレーム（25）の第１支持リブ（46b）と第２フレーム（55）の第２支持リブ（76a）に挟まれる。
【０１１２】
熱交換器（10）の主熱交換部（11）では、第２フレーム（55）の第２流路内リブ（75）の裏面が、その第２フレーム（55）の裏面側に位置する隣の第１フレーム（25）の第１流路内リブ（45）の表（おもて）面と向かい合う。第２フレーム（55）では、第２流路内リブ（75）の裏面に仕切りシート（15）が接着される。このため、第２フレーム（55）の第２流路内リブ（75）に接着された仕切りシート（15）は、第２フレーム（55）の第２流路内リブ（75）の裏面と、第１フレーム（25）の第１流路内リブ（45）の表（おもて）面とに挟まれる。このように、第２エレメント（50）の仕切りシート（15）は、第２フレーム（55）の第２内側リブ（70）に接着されると共に、第２フレーム（55）の第２内側リブ（70）と第１フレーム（25）の第１流路内リブ（45）に挟まれる。
【０１１３】
熱交換器（10）の主熱交換部（11）では、第２フレーム（55）の裏面側の第２支持リブ（76b）の裏面が、その第２フレーム（55）の裏面側に位置する隣の第１フレーム（25）の表（おもて）面側の第１支持リブ（46a）の表面と向かい合う。第２フレーム（55）では、第２支持リブ（76b）の裏面に仕切りシート（15）が接着される。このため、第２フレーム（55）の第２支持リブ（76b）に接着された仕切りシート（15）は、第２フレーム（55）の第２支持リブ（76b）の裏面と、第１フレーム（25）の第１支持リブ（46a）の表（おもて）面とに挟まれる。このように、第２エレメント（50）の仕切りシート（15）は、第２フレーム（55）の第２支持リブ（76b）に接着されると共に、第２フレーム（55）の第２支持リブ（76b）と第１フレーム（25）の第１支持リブ（46a）に挟まれる。
【０１１４】
−実施形態１の特徴（１）−
本実施形態の熱交換器（10）は、平坦なシート状の複数の仕切りシート（15）と、仕切りシート（15）と交互に積層されて隣り合う仕切りシート（15）の間隔を保持するフレーム（25,55）とを備える。この熱交換器（10）では、仕切りシート（15）を挟んで第１流路（21）と第２流路（51）とが交互に形成される。フレーム（25,55）は、仕切りシート（15）の周縁に沿った枠部（30,60）を有する。
【０１１５】
第１流路（21）を形成するフレームである第１フレーム（25）は、第１連通用開口（22）と、第１内側リブ（40）とを備える。第１連通用開口（22）は、第１フレーム（25）の枠部（30）に形成され、枠部（30）に囲われた第１流路（21）を、枠部（30）の外部に連通させる。第１内側リブ（40）は、第１連通用開口（22）から第１連通用開口（22）と交わる方向に延び、第１フレーム（25）の両隣の仕切りシート（15）と接する。
【０１１６】
第２流路（51）を形成するフレームである第２フレーム（55）は、第２連通用開口（52）と、第２内側リブ（70）とを備える。第２連通用開口（52）は、第２フレーム（55）の枠部（60）に形成され、枠部（60）に囲われた第２流路（51）を、枠部（60）の外部に連通させる。第２内側リブ（70）は、第２連通用開口（52）から第２連通用開口（52）と交わる方向に延び、第２フレーム（55）の両隣の仕切りシート（15）と接する。
【０１１７】
第１フレーム（25）は、第１保持リブ（41a,41b）を更に備える。第１保持リブ（41a,41b）は、第１内側リブ（40）と交わり且つ第２フレーム（55）の第２内側リブ（70）に沿う方向に延び、隣に位置する第２フレーム（55）の第２内側リブ（70）との間に仕切りシート（15）を挟む。
【０１１８】
第２フレーム（55）は、第２保持リブ（71a,71b）を更に備える。第２保持リブ（71a,71b）は、第２内側リブ（70）と交わり且つ第１フレーム（25）の第１内側リブ（40）に沿う方向に延び、隣に位置する第１フレーム（25）の第１内側リブ（40）との間に仕切りシート（15）を挟む。
【０１１９】
本実施形態の熱交換器（10）では、仕切りシート（15）とフレーム（25,55）が交互に積層され、第１流路（21）と第２流路（51）が交互に形成される。各仕切りシート（15）は、第１フレーム（25）と第２フレーム（55）に挟まれる。熱交換器（10）では、第１流路（21）を流れる給気と第２流路（51）を流れる排気が、仕切りシート（15）を介して顕熱と潜熱（水分）を交換する。
【０１２０】
本実施形態の熱交換器（10）において、第１フレーム（25）は、第１内側リブ（40）と第１保持リブ（41a,41b）とを備える。第１内側リブ（40）と第１保持リブ（41a,41b）とは、第１流路（21）に位置する。一方、第２フレーム（55）は、第２内側リブ（70）と第２保持リブ（71a,71b）とを備える。第２内側リブ（70）と第２保持リブ（71a,71b）とは、第２流路（51）に位置する。
【０１２１】
本実施形態の熱交換器（10）において、第１フレーム（25）の第１保持リブ（41a,41b）は、第２フレーム（55）の第２内側リブ（70）に沿って延びる。また、第２フレーム（55）の第２保持リブ（71a,71b）は、第１フレーム（25）の第１内側リブ（40）に沿って延びる。第１流路（21）と第２流路（51）を仕切る仕切りシート（15）は、隣り合う第１保持リブ（41a,41b）と第２内側リブ（70）に挟まれると共に、隣り合う第２保持リブ（71a,71b）と第１内側リブ（40）に挟まれる。その結果、仕切りシート（15）のうちフレーム（25,55）の枠部（30,60）の内側に位置する部分は、隣り合う第１保持リブ（41a,41b）と第２内側リブ（70）に保持されると共に、隣り合う第２保持リブ（71a,71b）と第１内側リブ（40）に保持される。
【０１２２】
本実施形態によれば、接着不良や接着剤の劣化等が生じた場合であっても、仕切りシート（15）を、その両隣のフレーム（25,55）によって保持することができる。従って、本実施形態によれば、フレーム（25,55）に保持されなくなった仕切りシート（15）が空気の流通を阻害するのを、未然に防止できる。その結果、熱交換器（10）の信頼性を向上させることができる。
【０１２３】
−実施形態１の特徴（２）−
本実施形態の熱交換器（10）において、第１フレーム（25）は、この第１フレーム（25）と隣り合う二つの仕切りシート（15）の一方に接する一方側の第１保持リブ（41a）と、他方に接する他方側の第１保持リブ（41b）とを備える。また、この熱交換器（10）において、第２フレーム（55）は、この第２フレーム（55）と隣り合う二つの仕切りシート（15）の一方に接する一方側の第２保持リブ（71a）と、他方に接する他方側の第２保持リブ（71b）とを備える。
【０１２４】
本実施形態の熱交換器（10）において、第１フレーム（25）と隣り合う二つの仕切りシート（15）の一方は、一方側の第１保持リブ（41a）と、その第１保持リブ（41a）と隣り合う第２内側リブ（70）に挟まれて保持される。第１フレーム（25）と隣り合う二つの仕切りシート（15）の他方は、他方側の第１保持リブ（41b）と、その第１保持リブ（41b）と隣り合う第２内側リブ（70）に挟まれて保持される。
【０１２５】
また、本実施形態の熱交換器（10）において、第２フレーム（55）と隣り合う二つの仕切りシート（15）の一方は、一方側の第２保持リブ（71a）と、その第２保持リブ（71a）と隣り合う第１内側リブ（40）に挟まれて保持される。第２フレーム（55）と隣り合う二つの仕切りシート（15）の他方は、他方側の第２保持リブ（71b）と、その第２保持リブ（71b）と隣り合う第１内側リブ（40）に挟まれて保持される。
【０１２６】
このように、本実施形態の熱交換器（10）では、各仕切りシート（15）のうち熱交換器（10）の主熱交換部（11）に位置する部分が、隣接する第１支持リブ（46a,46b）と第２支持リブ（76a,76b）に挟まれて確実に保持される。
【０１２７】
−実施形態１の特徴（３）−
本実施形態の熱交換器（10）において、第１フレーム（25）は、第１流路内リブ（45）と、第１支持リブ（46a,46b）とを備える。第１流路内リブ（45）は、第１フレーム（25）の枠部（30）によって囲まれた第１流路（21）に設けられ、第１フレーム（25）と隣り合う二つの仕切りシート（15）と接する。第１支持リブ（46a,46b）は、第１流路内リブ（45）と交わる方向に延び、第１フレーム（25）の隣に位置する一つの仕切りシート（15）と接する。
【０１２８】
また、本実施形態の熱交換器（10）において、第２フレーム（55）は、第２流路内リブ（75）と、第２支持リブ（76a,76b）とを備える。第２流路内リブ（75）は、第２フレーム（55）の枠部（60）によって囲まれた第２流路（51）に設けられ、第１フレーム（25）の第１流路内リブ（45）に沿って延び、第２フレーム（55）と隣り合う二つの仕切りシート（15）と接する。第２支持リブ（76a,76b）は、第２流路内リブ（75）と交わる方向に延び、第２フレーム（55）の隣に位置する一つの仕切りシート（15）と接する。
【０１２９】
本実施形態の熱交換器（10）では、第１フレーム（25）に第１流路内リブ（45）が設けられ、第２フレーム（55）に第２流路内リブ（75）が設けられる。第１流路内リブ（45）は、第１フレーム（25）の両側に位置する二つの仕切りシート（15）と接する。第２流路内リブ（75）は、第２フレーム（55）の両側に位置する二つの仕切りシート（15）と接する。また、第２流路内リブ（75）は、第１流路内リブ（45）に沿っている。そのため、第１フレーム（25）と第２フレーム（55）の間に位置する仕切りシート（15）は、第１流路内リブ（45）と第２流路内リブ（75）に挟まれる。
【０１３０】
また、本実施形態の熱交換器（10）では、第１フレーム（25）に第１支持リブ（46a,46b）が設けられ、第２フレーム（55）に第２支持リブ（76a,76b）が設けられる。第１支持リブ（46a,46b）は、第１フレーム（25）に隣接する一方の仕切りシート（15）と接し、この仕切りシート（15）を支持する。第２支持リブ（76a,76b）は、第２フレーム（55）に隣接する一方の仕切りシート（15）と接し、この仕切りシート（15）を支持する。
【０１３１】
《実施形態２》
実施形態２について説明する。本実施形態の熱交換器（10）は、実施形態１の熱交換器（10）において、第１フレーム（25）及び第２フレーム（55）を変更したものである。ここでは、本実施形態の熱交換器（10）について、実施形態１の熱交換器（10）と異なる点を説明する。
【０１３２】
−第１フレーム−
図１７〜図２０に示すように、本実施形態の熱交換器（10）では、第１フレーム（25）に第１支柱部（42）が設けられる。第１支柱部（42）は、第１フレーム（25）の各端部エリア（27a,27b）に設けられる。各端部エリア（27a,27b）には、表（おもて）面側の第１保持リブ（41a）及び裏面側の第１保持リブ（41b）のそれぞれと同数の第１支柱部（42）が設けられる。
【０１３３】
各第１支柱部（42）は、第１フレーム（25）の厚さ方向に隣り合う一対の第１保持リブ（41a,41b）の間に設けられる。各第１支柱部（42）は、対応する一対の第１保持リブ（41a,41b）を連結する。各第１支柱部（42）は、小さな長方形板状の部材であって、対応する一対の第１保持リブ（41a,41b）と一体に形成される。各第１支柱部（42）の長辺は、対応する第１保持リブ（41a,41b）の長手方向（隣り合う第１内側リブ（40）と直交する方向）と実質的に直交する。各第１支柱部（42）は、対応する第１保持リブ（41a,41b）の長手方向の概ね中央に設けられる。
【０１３４】
−第２フレーム−
図１９，図２０に示すように、本実施形態の熱交換器（10）では、第２フレーム（55）に第２支柱部（72）が設けられる。第２支柱部（72）は、第２フレーム（55）の各端部エリア（57a,57b）に設けられる。各端部エリア（57a,57b）には、表（おもて）面側の第２保持リブ（71a）及び裏面側の第２保持リブ（71b）のそれぞれと同数の第２支柱部（72）が設けられる。
【０１３５】
各第２支柱部（72）は、第２フレーム（55）の厚さ方向に隣り合う一対の第２保持リブ（71a,71b）の間に設けられる。各第２支柱部（72）は、対応する一対の第２保持リブ（71a,71b）を連結する。各第２支柱部（72）は、小さな長方形板状の部材であって、対応する一対の第２保持リブ（71a,71b）と一体に形成される。各第２支柱部（72）の長辺は、対応する第２保持リブ（71a,71b）の長手方向（隣り合う第２内側リブ（70）と直交する方向）と実質的に直交する。各第２支柱部（72）は、対応する第２保持リブ（71a,71b）の長手方向の概ね中央に設けられる。
【０１３６】
−実施形態２の特徴−
本実施形態の熱交換器（10）では、第１フレーム（25）が第１支柱部（42）を備え、第２フレーム（55）が第２支柱部（72）を備える。第１フレーム（25）において、第１支柱部（42）は、一方側の第１保持リブ（41a）と他方側の第１保持リブ（41b）とに接続する。第２フレーム（55）において、第２支柱部（72）は、一方側の第２保持リブ（71a）と他方側の第２保持リブ（71b）とに接続する。
【０１３７】
本実施形態の第１フレーム（25）では、一方側の第１保持リブ（41a）と他方側の第１保持リブ（41b）とに第１支柱部（42）が接続する。一方側の第１保持リブ（41a）と他方側の第１保持リブ（41b）の間隔は、第１支柱部（42）によって保持される。そのため、第１保持リブ（41a,41b）の撓みが抑えられ、第１保持リブ（41a,41b）と第２内側リブ（70）によって仕切りシート（15）が保持される。
【０１３８】
また、本実施形態の第２フレーム（55）では、一方側の第２保持リブ（71a）と他方側の第２保持リブ（71b）とに第２支柱部（72）が接続する。一方側の第２保持リブ（71a）と他方側の第２保持リブ（71b）の間隔は、第２支柱部（72）によって保持される。そのため、第２保持リブ（71a,71b）の撓みが抑えられ、第２保持リブ（71a,71b）と第１内側リブ（70）によって仕切りシート（15）が保持される。
【０１３９】
−実施形態２の変形例−
本実施形態の熱交換器（10）では、各フレーム（25,55）の中央エリア（26,56）に支柱部が設けられていてもよい。中央エリア（26,56）に設けられる支柱部は、端部エリア（27a,27b,57a,57b）に設けられた支柱部（42,72）と同様の小さな長方形板状の部材である。本変形例の第１フレーム（25）では、対応する表（おもて）面側の第１支持リブ（46a）と裏面側の第１支持リブ（46b）が、支柱部によって連結される。また、本変形例の第２フレーム（55）では、対応する表（おもて）面側の第２支持リブ（76a）と裏面側の第２支持リブ（76b）が、支柱部によって連結される。
【０１４０】
《実施形態３》
実施形態３について説明する。本実施形態の熱交換器（10）は、実施形態２の熱交換器（10）において、第１フレーム（25）及び第２フレーム（55）を変更したものである。ここでは、本実施形態の熱交換器（10）について、実施形態２の熱交換器（10）と異なる点を説明する。
【０１４１】
−第１フレーム−
図２１〜図２４に示すように、本実施形態の第１フレーム（25）は、第１保持リブ（41a,41b）の形状が実施形態２と異なる。
【０１４２】
表（おもて）面側の第１保持リブ（41a）は、隣り合う第１内側リブ（40）の一方から他方に向かって突出する片持ち梁状に形成される。この第１保持リブ（41a）は、隣り合う第１内側リブ（40）の一方と一体に形成される。この第１保持リブ（41a）の形状は、長方形板状である。この第１保持リブ（41a）の突端は、隣り合う二つの第１内側リブ（40）の中央付近に位置する。この第１保持リブ（41a）の幅は、第２フレーム（55）の第２内側リブ（70）の幅と概ね等しい。
【０１４３】
裏面側の第１保持リブ（41b）は、隣り合う第１内側リブ（40）の他方から一方に向かって突出する片持ち梁状に形成される。この第１保持リブ（41b）は、隣り合う第１内側リブ（40）の他方と一体に形成される。この第１保持リブ（41b）の形状は、長方形板状である。この第１保持リブ（41b）の突端は、隣り合う二つの第１内側リブ（40）の中央付近に位置する。この第１保持リブ（41b）の幅は、第２フレーム（55）の第２内側リブ（70）の幅と概ね等しい。
【０１４４】
実施形態２と同様に、第１支柱部（42）は、小さな長方形板状の部材であって、対応する一対の第１保持リブ（41a,41b）と一体に形成される。第１支柱部（42）は、対応する一対の第１保持リブ（41a,41b）の突端部を連結する。第１支柱部（42）は、対応する一対の第１保持リブ（41a,41b）と実質的に直交する。
【０１４５】
−第２フレーム−
図２３，図２４に示すように、本実施形態の第２フレーム（55）は、第２保持リブ（71a,71b）の形状が実施形態２と異なる。
【０１４６】
表（おもて）面側の第２保持リブ（71a）は、隣り合う第２内側リブ（70）の一方から他方に向かって突出する片持ち梁状に形成される。この第２保持リブ（71a）は、隣り合う第２内側リブ（70）の一方と一体に形成される。この第２保持リブ（71a）の形状は、長方形板状である。この第２保持リブ（71a）の突端は、隣り合う二つの第２内側リブ（70）の中央付近に位置する。この第２保持リブ（71a）の幅は、第１フレーム（25）の第１内側リブ（40）の幅と概ね等しい。
【０１４７】
裏面側の第２保持リブ（71b）は、隣り合う第２内側リブ（70）の他方から一方に向かって突出する片持ち梁状に形成される。この第２保持リブ（71b）は、隣り合う第２内側リブ（70）の他方と一体に形成される。この第２保持リブ（71b）の形状は、長方形板状である。この第２保持リブ（71b）の突端は、隣り合う二つの第２内側リブ（70）の中央付近に位置する。この第２保持リブ（71b）の幅は、第１フレーム（25）の第１内側リブ（40）の幅と概ね等しい。
【０１４８】
実施形態２と同様に、第２支柱部（72）は、小さな長方形板状の部材であって、対応する一対の第２保持リブ（71a,71b）と一体に形成される。第２支柱部（72）は、対応する一対の第２保持リブ（71a,71b）の突端部を連結する。第２支柱部（72）は、対応する一対の第２保持リブ（71a,71b）と実質的に直交する。
【０１４９】
−実施形態３の特徴−
本実施形態の熱交換器（10）では、第１フレーム（25）に、複数の第１内側リブ（40）が互いに平行に設けられる。第１フレーム（25）では、隣り合う第１内側リブ（40）の間において、一方側の第１保持リブ（41a）が、隣り合う第１内側リブ（40）の一方から他方へ向かって突出し、他方側の第１保持リブ（41b）が、隣り合う第１内側リブ（40）の他方から一方へ向かって突出し、第１支柱部（42）が、一方側の第１保持リブ（41a）の突端と、他方側の第１保持リブ（41b）の突端とに接続する。
【０１５０】
また、本実施形態の熱交換器（10）では、第２フレーム（55）に、複数の第２内側リブ（70）が互いに平行に設けられる。第２フレーム（55）では、隣り合う第２内側リブ（70）の間において、一方側の第２保持リブ（71a）が、隣り合う第２内側リブ（70）の一方から他方へ向かって突出し、他方側の第２保持リブ（71b）が、隣り合う第２内側リブ（70）の他方から一方へ向かって突出し、第２支柱部（72）が、一方側の第２保持リブ（71a）の突端と、他方側の第２保持リブ（71b）の突端とに接続する。
【０１５１】
本実施形態の第１フレーム（25）では、隣り合う第１内側リブ（40）の一方から突出する第１保持リブ（41a）の突端と、それらの他方から突出する第１保持リブ（41b）の突端とに、第１支柱部（42）が接続する。第１支柱部（42）は、一方側の第１保持リブ（41a）の突端と、他方側の第１保持リブ（41b）の突端との間隔を保持し、各第１保持リブ（41a,41b）の撓みを抑える。
【０１５２】
また、本実施形態の第２フレーム（55）では、隣り合う第２内側リブ（70）の一方から突出する第２保持リブ（71a）の突端と、それらの他方から突出する第２保持リブ（71b）の突端とに、第２支柱部（72）が接続する。第２支柱部（72）は、一方側の第２保持リブ（71a）の突端と、他方側の第２保持リブ（71b）の突端との間隔を保持し、各第２保持リブ（71a,71b）の撓みを抑える。
【０１５３】
本実施形態の第１フレーム（25）において、対応する一対の第１保持リブ（41a,41b）のそれぞれと、その一対の第１保持リブ（41a,41b）に接続する第１支柱部（42）がなす角は、９０°以上であるのが望ましい。この第１保持リブ（41a,41b）と第１支柱部（42）がなす角を９０°以上にした場合は、第１フレーム（25）を製造する際に用いられる射出成形用の金型として、第１フレーム（25）の表（おもて）面側と裏面側に二分割される単純な金型を用いることができる。従って、この場合は、第１フレーム（25）の製造コストを増やすことなく、第１フレーム（25）に、第１保持リブ（41a,41b）と第１支柱部（42）とを形成できる。
【０１５４】
また、本実施形態の第２フレーム（55）において、対応する一対の第２保持リブ（71a,71b）のそれぞれと、その一対の第２保持リブ（71a,71b）に接続する第２支柱部（72）がなす角（内角）は、９０°以上であるのが望ましい。この第２保持リブ（71a,71b）と第２支柱部（72）がなす角を９０°以上にした場合は、第２フレーム（55）を製造する際に用いられる射出成形用の金型として、第２フレーム（55）の表（おもて）面側と裏面側に二分割される単純な金型を用いることができる。従って、この場合は、第２フレーム（55）の製造コストを増やすことなく、第２フレーム（55）に、第２保持リブ（71a,71b）と第２支柱部（72）とを形成できる。
【０１５５】
−実施形態３の変形例１−
本実施形態の熱交換器（10）では、第１フレーム（25）が図２５及び図２６に示すように構成され、第２フレーム（55）が図２７に示すように構成されていてもよい。
【０１５６】
〈第１フレーム〉
本変形例の第１フレーム（25）では、隣り合う第１内側リブ（40）の一方の伸長方向に、その第１内側リブ（40）から突出する表（おもて）面側の第１保持リブ（41a）と、その第１内側リブ（40）から突出する裏面側の第１保持リブ（41b）とが交互に設けられる。隣り合う第１内側リブ（40）の一方から突出する表面側の第１保持リブ（41a）と裏面側の第１保持リブ（41b）とは、それぞれが第１内側リブ（40）と一体の片持ち梁状に形成される。
【０１５７】
また、本変形例の第１フレーム（25）では、隣り合う第１内側リブ（40）の他方の伸長方向に、その第１内側リブ（40）から突出する裏面側の第１保持リブ（41b）と、その第１内側リブ（40）から突出する表（おもて）面側の第１保持リブ（41a）とが交互に設けられる。隣り合う第１内側リブ（40）の他方から突出する裏面側の第１保持リブ（41b）と表面側の第１保持リブ（41a）とは、それぞれが第１内側リブ（40）と一体の片持ち梁状に形成される。
【０１５８】
なお、本変形例の第１フレーム（25）においても、第１支柱部（42）は、対応する一対の第１保持リブ（41a,41b）と一体に形成され、対応する一対の第１保持リブ（41a,41b）の突端部を連結する。
【０１５９】
〈第２フレーム〉
本変形例の第２フレーム（55）では、隣り合う第２内側リブ（70）の一方の伸長方向に、その第２内側リブ（70）から突出する表（おもて）面側の第２保持リブ（71a）と、その第２内側リブ（70）から突出する裏面側の第２保持リブ（71b）とが交互に設けられる。隣り合う第２内側リブ（70）の一方から突出する表面側の第２保持リブ（71b）と裏面側の第２保持リブ（71b）とは、それぞれが第２内側リブ（70）と一体の片持ち梁状に形成される。
【０１６０】
また、本変形例の第２フレーム（55）では、隣り合う第２内側リブ（70）の他方の伸長方向に、その第２内側リブ（70）から突出する裏面側の第２保持リブ（71b）と、その第２内側リブ（70）から突出する表（おもて）面側の第２保持リブ（71a）とが交互に設けられる。隣り合う第２内側リブ（70）の他方から突出する裏面側の第２保持リブ（71b）と表面側の第２保持リブ（71a）とは、それぞれが第２内側リブ（70）と一体の片持ち梁状に形成される。
【０１６１】
なお、本変形例の第２フレーム（55）においても、第２支柱部（72）は、対応する一対の第２保持リブ（71a,71b）と一体に形成され、対応する一対の第２保持リブ（71a,71b）の突端部を連結する。
【０１６２】
〈変形例１の特徴〉
本変形例の熱交換器（10）において、第１フレーム（25）には、複数の第１内側リブ（40）が互いに平行に設けられる。第１フレーム（25）の隣り合う第１内側リブ（40）の間では、隣り合う第１内側リブ（40）の一方の伸長方向に、隣り合う第１内側リブ（40）の一方から他方へ向かって突出する表（おもて）面側の第１保持リブ（41a）と、隣り合う第１内側リブ（40）の一方から他方へ向かって突出する裏面側の上記第１保持リブ（41b）とが交互に設けられる。また、第１フレーム（25）の隣り合う第１内側リブ（40）の間では、隣り合う第１内側リブ（40）の他方の伸長方向に、隣り合う第１内側リブ（40）の他方から一方へ向かって突出する裏面側の第１保持リブ（41b）と、隣り合う第１内側リブ（40）の他方から一方へ向かって突出する表（おもて）面側の第１保持リブ（41a）とが交互に設けられる。
【０１６３】
本変形例の熱交換器（10）において、第２フレーム（55）には、複数の第２内側リブ（70）が互いに平行に設けられる。第２フレーム（55）の隣り合う第２内側リブ（70）の間では、隣り合う第２内側リブ（70）の一方の伸長方向に、隣り合う第２内側リブ（70）の一方から他方へ向かって突出する表（おもて）面側の第２保持リブ（71a）と、隣り合う第２内側リブ（70）の一方から他方へ向かって突出する裏面側の第２保持リブ（71b）とが交互に設けられる。また、第２フレーム（55）の隣り合う第２内側リブ（70）の間では、隣り合う第２内側リブ（70）の他方の伸長方向に、隣り合う第２内側リブ（70）の他方から一方へ向かって突出する裏面側の第２保持リブ（71b）と、隣り合う第２内側リブ（70）の他方から一方へ向かって突出する表（おもて）面側の第２保持リブ（71a）とが交互に設けられる。
【０１６４】
本変形例の第１フレーム（25）では、隣り合う第１内側リブ（40）の一方の伸長方向に、その第１内側リブ（40）から突出する表（おもて）面側の第１保持リブ（41a）と裏面側の第１保持リブ（41b）とが交互に設けられる。また、この第１フレーム（25）では、隣り合う第１内側リブ（40）の他方の伸長方向に、その第１内側リブ（40）から突出する裏面側の第１保持リブ（41b）と表面側の第１保持リブ（41a）とが交互に設けられる。
【０１６５】
本変形例の熱交換器（10）において、第１フレーム（25）の表（おもて）面側に位置する仕切りシート（15）は、隣り合う第１内側リブ（40）の一方から突出する表（おもて）面側の第１保持リブ（41a）と、隣り合う第１内側リブ（40）の他方から突出する表面側の第１保持リブ（41a）とによって支持される。そのため、隣り合う第１内側リブ（40）の一方から突出する表面側の第１保持リブ（41a）だけによって仕切りシート（15）を支持する場合に比べて、仕切りシート（15）を第１フレーム（25）によって確実に保持できる。
【０１６６】
本変形例の熱交換器（10）において、第１フレーム（25）の裏面側に位置する仕切りシート（15）は、隣り合う第１内側リブ（40）の一方から突出する裏面側の第１保持リブ（41b）と、隣り合う第１内側リブ（40）の他方から突出する裏面側の第１保持リブ（41b）とによって支持される。そのため、隣り合う第１内側リブ（40）の他方から突出する裏面側の第１保持リブ（41b）だけによって仕切りシート（15）を支持する場合に比べて、仕切りシート（15）を第１フレーム（25）によって確実に保持できる。
【０１６７】
本変形例の第２フレーム（55）では、隣り合う第２内側リブ（70）の一方の伸長方向に、その第２内側リブ（70）から突出する表（おもて）面側の第１保持リブ（41a）と裏面側の第１保持リブ（41b）とが交互に設けられる。また、この第２フレーム（55）では、隣り合う第２内側リブ（70）の他方の伸長方向に、その第２内側リブ（70）から突出する裏面側の第１保持リブ（41b）と表面側の第１保持リブ（41a）とが交互に設けられる。
【０１６８】
本変形例の熱交換器（10）において、第２フレーム（55）の表（おもて）面側に位置する仕切りシート（15）は、隣り合う第２内側リブ（70）の一方から突出する表（おもて）面側の第２保持リブ（71a）と、隣り合う第２内側リブ（70）の他方から突出する表面側の第２保持リブ（71a）とによって支持される。そのため、隣り合う第２内側リブ（70）の一方から突出する表面側の第２保持リブ（71a）だけによって仕切りシート（15）を支持する場合に比べて、仕切りシート（15）を第２フレーム（55）によって確実に保持できる。
【０１６９】
本変形例の熱交換器（10）において、第２フレーム（55）の裏面側に位置する仕切りシート（15）は、隣り合う第２内側リブ（70）の一方から突出する裏面側の第２保持リブ（71b）と、隣り合う第２内側リブ（70）の他方から突出する裏面側の第２保持リブ（71b）とによって支持される。そのため、隣り合う第２内側リブ（70）の他方から突出する裏面側の第２保持リブ（71b）だけによって仕切りシート（15）を支持する場合に比べて、仕切りシート（15）を第２フレーム（55）によって確実に保持できる。
【０１７０】
−実施形態３の変形例２−
本実施形態の熱交換器（10）の各フレーム（25,55）において、中央エリア（26,56）に設けられた支持リブ（46a,46b,76a,76b）は、端部エリア（27a,27b）の保持リブ（41a,41b,71a,71b）と同様の片持ち梁状に形成されていてもよい。
【０１７１】
本変形例の第１フレーム（25）では、隣り合う二つの第１流路内リブ（45）の間において、この二つの第１流路内リブ（45）の一方から他方へ向かって表（おもて）面側の第１支持リブ（46a）が突出し、それらの他方から一方へ向かって裏面側の第１支持リブ（46b）が突出する。また、この第１フレーム（25）では、表面側の第１支持リブ（46a）の突端と裏面側の第１支持リブ（46b）の突端とが、支柱部によって連結される。この支柱部は、端部エリア（27a,27b）に設けられた第１支柱部（42）と同様の小さな長方形板状の部材である。
【０１７２】
本変形例の第２フレーム（55）では、隣り合う二つの第２流路内リブ（75）の間において、この二つの第２流路内リブ（75）の一方から他方へ向かって表（おもて）面側の第２支持リブ（76a）が突出し、それらの他方から一方へ向かって裏面側の第２支持リブ（76b）が突出する。また、この第２フレーム（55）では、表面側の第２支持リブ（76a）の突端と裏面側の第２支持リブ（76b）の突端とが、支柱部によって連結される。この支柱部は、端部エリア（57a,57b）に設けられた第２支柱部（72）と同様の小さな長方形板状の部材である。
【０１７３】
《実施形態４》
実施形態４について説明する。本実施形態の熱交換器（10）は、実施形態２の熱交換器（10）において、第１フレーム（25）及び第２フレーム（55）を変更したものである。ここでは、本実施形態の熱交換器（10）について、実施形態２の熱交換器（10）と異なる点を説明する。
【０１７４】
−第１フレーム−
図２８〜図３１に示すように、本実施形態の第１フレーム（25）は、裏面側の第１保持リブ（41b）の形状と、第１支柱部（42）の形状とが、実施形態２と異なる。また、本実施形態の第１フレーム（25）では、表（おもて）面側の第１保持リブ（41a）が省略されている。
【０１７５】
裏面側の第１保持リブ（41b）は、実施形態２と同様に、隣り合う第１内側リブ（40）の一方から他方に亘って形成される。この第１保持リブ（41b）は、長方形板状に形成される。この第１保持リブ（41b）の幅は、第２フレーム（55）の第２内側リブ（70）の幅と概ね等しい。
【０１７６】
第１支柱部（42）は、小さな長方形板状の部材であって、対応する第１保持リブ（41b）と一体に形成される。第１支柱部（42）は、実施形態２と同様に、その長辺が、対応する第１保持リブ（41b）の長手方向と実質的に直交する。第１支柱部（42）は、第１保持リブ（41b）の表（おもて）面から突出する。第１支柱部（42）の突端面は、第１内側リブ（40）及び閉塞部（31）の表（おもて）面と同一平面上に位置する。
【０１７７】
−第２フレーム−
図３０，図３１に示すように、本実施形態の第２フレーム（55）は、裏面側の第２保持リブ（71b）の形状と、第２支柱部（72）の形状とが、実施形態２と異なる。また、本実施形態の第２フレーム（55）では、表（おもて）面側の第２保持リブ（71a）が省略されている。
【０１７８】
裏面側の第２保持リブ（71b）は、実施形態２と同様に、隣り合う第２内側リブ（70）の一方から他方に亘って形成される。この第２保持リブ（71b）は、長方形板状に形成される。この第２保持リブ（71b）の幅は、第１フレーム（25）の第１内側リブ（40）の幅と概ね等しい。
【０１７９】
第２支柱部（72）は、小さな長方形板状の部材であって、対応する第２保持リブ（71b）と一体に形成される。第２支柱部（72）は、実施形態２と同様に、その長辺が、対応する第２保持リブ（71b）の長手方向と実質的に直交する。第２支柱部（72）は、第２保持リブ（71b）の表（おもて）面から突出する。第２支柱部（72）の突端面は、第２内側リブ（70）及び閉塞部（61）の表（おもて）面と同一平面上に位置する。
【０１８０】
−仕切りシートの保持構造−
図３１に示すように、熱交換器（10）の副熱交換部（12a,12b）では、第１フレーム（25）の第１支柱部（42）の突端面が、その第１フレーム（25）の表（おもて）面側に位置する隣の第２フレーム（55）の第２内側リブ（70）の裏面と向かい合う。第２フレーム（55）では、第２内側リブ（70）の裏面に仕切りシート（15）が接着される。このため、第２フレーム（55）の第２内側リブ（70）に接着された仕切りシート（15）は、第１フレーム（25）の第１支柱部（42）の突端面と、第２フレーム（55）の第２内側リブ（70）の裏面とに挟まれる。このように、第２エレメント（50）の仕切りシート（15）は、第２フレーム（55）の第２内側リブ（70）に接着されると共に、第１フレーム（25）の第１支柱部（42）と第２フレーム（55）の第２内側リブ（70）に挟まれる。
【０１８１】
また、熱交換器（10）の副熱交換部（12a,12b）では、第２フレーム（55）の第２支柱部（72）の突端面が、その第２フレーム（55）の表（おもて）面側に位置する隣の第１フレーム（25）の第１内側リブ（40）の裏面と向かい合う。第１フレーム（25）では、第１内側リブ（40）の裏面に仕切りシート（15）が接着される。このため、第１フレーム（25）の第１内側リブ（40）に接着された仕切りシート（15）は、第２フレーム（55）の第２支柱部（72）の突端面と、第１フレーム（25）の第１内側リブ（40）の裏面とに挟まれる。このように、第１エレメント（20）の仕切りシート（15）は、第１フレーム（25）の第１内側リブ（40）に接着されると共に、第２フレーム（55）の第２支柱部（72）と第１フレーム（25）の第１内側リブ（40）に挟まれる。
【０１８２】
−実施形態４の特徴−
本実施形態の熱交換器（10）において、第１フレーム（25）の第１保持リブ（41b）は、この第１フレーム（25）と隣り合う二つの仕切りシート（15）の一方と接する。第１フレーム（25）は、第１支柱部（42）を備える。第１支柱部（42）は、第１保持リブ（41b）から突出する。第１支柱部（42）の突端は、第１フレーム（25）と隣り合う二つの仕切りシート（15）の他方に接する。
【０１８３】
また、本実施形態の熱交換器（10）において、第２フレーム（55）の第２保持リブ（71b）は、この第２フレーム（55）と隣り合う二つの上記仕切りシート（15）の一方と接する。第２フレーム（55）は、第２支柱部（72）を備える。第２支柱部（72）は、第２保持リブ（71b）から突出する。第２支柱部（72）の突端は、第２フレーム（55）と隣り合う二つの仕切りシート（15）の他方に接する。
【０１８４】
本実施形態の第１フレーム（25）では、その両隣に位置する二つの仕切りシート（15）のうちの一方に第１保持リブ（41b）が接し、他方に第１支柱部（42）の突端が接する。第１フレーム（25）に隣接する一方の仕切りシート（15）は、第１保持リブ（41b）と、その仕切りシート（15）に接する第２フレーム（55）の第２内側リブ（70）とに挟まれる。第１フレーム（25）に隣接する他方の仕切りシート（15）は、第１支柱部（42）と、その仕切りシート（15）に接する第２フレーム（55）の第２内側リブ（70）とに挟まれる。
【０１８５】
また、本実施形態の第２フレーム（55）では、その両隣に位置する二つの仕切りシート（15）のうちの一方に第２保持リブ（71b）が接し、他方に第２支柱部（72）の突端が接する。第２フレーム（55）に隣接する一方の仕切りシート（15）は、第２保持リブ（71b）と、その仕切りシート（15）に接する第１フレーム（25）の第１内側リブ（40）とに挟まれる。第２フレーム（55）に隣接する他方の仕切りシート（15）は、第２支柱部（72）と、その仕切りシート（15）に接する第１フレーム（25）の第１内側リブ（40）とに挟まれる。
【０１８６】
−実施形態４の変形例−
本実施形態の熱交換器（10）では、各フレーム（25,55）の中央エリア（26,56）において、表（おもて）面側の支持リブ（46a,76a）が省略されていてもよい。
【０１８７】
本変形例の各フレーム（25,55）では、中央エリア（26,56）の各支持リブ（46a,76a）と一体に支柱部が形成される。各フレーム（25,55）の支柱部は、端部エリア（27a,27b,57a,57b）に設けられた支柱部（42,72）と同様の小さな長方形板状の部材である。
【０１８８】
第１フレーム（25）では、中央エリア（26）に設けられた支柱部が、第１支持リブ（46b）の表（おもて）面から突出する。この支柱部の突端は、第１フレーム（25）の表（おもて）面側に位置する仕切りシート（15）に接する。第２フレーム（55）では、中央エリア（56）に設けられた支柱部が、第２支持リブ（76b）の表（おもて）面から突出する。この支柱部の突端は、第２フレーム（55）の表（おもて）面側に位置する仕切りシート（15）に接する。
【０１８９】
《その他の実施形態》
上記の各実施形態の熱交換器（10）については、次のような変形例を適用してもよい。なお、以下の変形例は、熱交換器（10）の機能を損なわない限り、適宜組み合わせたり、置換したりしてもよい。
【０１９０】
上記の各実施形態の熱交換器（10）では、仕切りシート（15）がフレーム（25,55）に接着されていなくてもよい。この場合、仕切りシート（15）は、その両隣に位置する第１フレーム（25）と第２フレーム（55）に挟まれて保持される。
【０１９１】
上記の各実施形態の熱交換器（10）は、給気と排気の間で顕熱だけを交換させる顕熱交換器であってもよい。この場合、熱交換器（10）の仕切りシート（15）は、透湿性が低い、あるいは透湿性が全く無い材料（例えば、樹脂フィルムや薄板状の金属）で構成される。
【０１９２】
上記の各実施形態の熱交換器（10）の形状は、八角柱状に限定されない。これらの熱交換器（10）の形状は、例えば六角柱状であってもよいし、四角柱状であってもよい。熱交換器（10）が六角柱状である場合、その熱交換器（10）の平面図（図２に対応する図）において、各副熱交換部（12a,12b）は、三角形状となる。
【０１９３】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【０１９４】
以上説明したように、本開示は、熱交換器について有用である。
【符号の説明】
【０１９５】
10    熱交換器
15    仕切りシート（仕切り部材）
21    第１流路
22    第１連通用開口（第１連通用開口）
25    第１フレーム（第１間隔保持部材）
30    枠部
40    第１内側リブ
41a,41b   第１保持リブ
42    第１支柱部
45    第１流路内リブ
46a,46b   第１支持リブ
51    第２流路
52    第２連通用開口（第２連通用開口）
55    第２フレーム（第２間隔保持部材）
60    枠部
70    第２内側リブ
71a,71b   第２保持リブ
72    第２支柱部
75    第２流路内リブ
76a,76b   第２支持リブ
【図１】
2020169781.tif 000003
【図２】
2020169781.tif 000004
【図３】
2020169781.tif 000005
【図４】
2020169781.tif 000006
【図５】
2020169781.tif 000007
【図６】
2020169781.tif 000008
【図７】
2020169781.tif 000009
【図８】
2020169781.tif 000010
【図９】
2020169781.tif 000011
【図１０】
2020169781.tif 000012
【図１１】
2020169781.tif 000013
【図１２】
2020169781.tif 000014
【図１３】
2020169781.tif 000015
【図１４】
2020169781.tif 000016
【図１５】
2020169781.tif 000017
【図１６】
2020169781.tif 000018
【図１７】
2020169781.tif 000019
【図１８】
2020169781.tif 000020
【図１９】
2020169781.tif 000021
【図２０】
2020169781.tif 000022
【図２１】
2020169781.tif 000023
【図２２】
2020169781.tif 000024
【図２３】
2020169781.tif 000025
【図２４】
2020169781.tif 000026
【図２５】
2020169781.tif 000027
【図２６】
2020169781.tif 000028
【図２７】
2020169781.tif 000029
【図２８】
2020169781.tif 000030
【図２９】
2020169781.tif 000031
【図３０】
2020169781.tif 000032
【図３１】
2020169781.tif 000033